(57)【要約】  モバイル低レイテンシーサービスの効率的で且つ動的なサポートを行う手段が提供される。そのような手段は、例えば、モバイルデバイス間情報交換サービスのユーザプレーンエンティティにより、前記サービスの管理機能をホストする前記サービスの制御プレーンエンティティから、前記サービスに関連したメッセージを前記サービスの参加者間に送付するための送付ルールを受け取り、前記ユーザプレーンエンティティは、前記制御プレーンエンティティと前記サービスの第１の参加者との間の接続路、及び前記制御プレーンエンティティと前記サービスの第２の参加者との間の接続路に配置され、更に、前記送付ルールをルールストレージに記憶し、前記ルールストレージに記憶された送付ルールの各々は、前記サービスに関連したメッセージを前記サービスの各送信参加者から前記サービスの各受信参加者へ送付することを表わし、更に、前記サービスの前記第１の参加者からメッセージを受け取り、前記メッセージは、前記サービス及び前記サービスの前記第１の参加者を表わし、更に、前記送付ルールに基づいて前記サービスの前記第２の参加者へ前記メッセージを送付すべきかどうか判断し、及び前記判断の結果が肯定であるときに前記メッセージを前記サービスの前記第２の参加者へ送付する、ことを含む。【選択図】図１８
2019533341.tif 000002
【特許請求の範囲】
【請求項１】
モバイルデバイス間情報交換サービスのユーザプレーンエンティティにより、前記サービスの管理機能をホストする前記サービスの制御プレーンエンティティから、前記サービスに関連したメッセージを前記サービスの参加者間に送付するための送付ルールを受け取り、前記ユーザプレーンエンティティは、前記制御プレーンエンティティと前記サービスの第１の参加者との間の接続路、及び前記制御プレーンエンティティと前記サービスの第２の参加者との間の接続路に配置され、
前記送付ルールをルールストレージに記憶し、前記ルールストレージに記憶された送付ルールの各々は、前記サービスに関連したメッセージを前記サービスの各送信参加者から前記サービスの各受信参加者へ送付することを表わし、
前記サービスの前記第１の参加者からメッセージを受け取り、前記メッセージは、前記サービス及び前記サービスの前記第１の参加者を表わし、
前記送付ルールに基づいて前記サービスの前記第２の参加者へ前記メッセージを送付すべきかどうか判断し、及び
前記判断の結果が肯定であるときに前記メッセージを前記サービスの前記第２の参加者へ送付する、
ことを含む方法。
【請求項２】
前記ルールストレージに記憶された前記送付ルールの各々は、前記サービスへの所属を表わすサービス識別子を含み、前記判断することは、
前記メッセージを前記ルールストレージに記憶された前記送付ルールと比較し、及び
前記比較の結果として、前記ルールストレージに記憶された前記送付ルールのいずれかが前記サービス識別子に関して前記メッセージと一致し、そして前記第１の参加者が前記送信参加者を表わし且つ前記第２の参加者が前記受信参加者を表わす場合には、前記サービスの前記第２の参加者へ前記メッセージを送付すると決定し、及び／又は
前記比較の結果として、前記ルールストレージに記憶された前記送付ルールのいずれかが前記サービス識別子に関して前記メッセージと一致し、そして前記第１の参加者が前記送信参加者を表わさず、且つ前記ルールストレージに記憶された前記送付ルールがいずれも前記サービス識別子に関して前記メッセージと一致せず、そして前記第１の参加者が前記送信参加者を表わし且つ前記第２の参加者が前記受信参加者を表わす場合には、前記制御プレーンエンティティへ前記メッセージを送付すると決定する、
ことを含む、請求項１に記載の方法。
【請求項３】
前記制御プレーンエンティティから、除去されるべき前記サービスの少なくとも１つの参加者を識別する送付ルール除去インストラクションを受け取り、及び
前記ルールストレージから、除去されるべき前記少なくとも１つの参加者に関連した送付ルールを除去する、
ことを更に含む、請求項１又は２に記載の方法。
【請求項４】
前記判断することは、
前記受け取られたメッセージが以前に受け取った所定数のメッセージのいずれかの複写であるかどうかチェックし、及び
前記チェックの結果として、前記メッセージが前記複写として識別される場合には、前記サービスの前記第２の参加者へ前記メッセージを送付しないと決定する、
ことを含む、請求項１から３のいずれかに記載の方法。
【請求項５】
前記モバイルデバイス間情報交換サービスは、乗物対Ｘ通信サービス、混雑におけるブロードバンドアクセスのサービス、及びモバイルゲームアプリケーションに関連したサービスのうちの１つであり、及び／又は
前記メッセージは、協働アウェアネスメッセージ又は分散型環境通知メッセージであり、及び／又は
前記サービスは、特定のポートにより指示され、及び／又は
前記送付ルールは、ＯｐｅｎＦｌｏｗ  ＦｌｏｗＭｏｄメッセージ、インターナショナルテレグラフユニオンテレコミュニケーションスタンダージエーションセクターゲートウェイコントロールプロトコルＨ．２４８、制御及びユーザプレーン分離Ｓｘインターフェイス、方針及び課金ルール機能Ｒｘインターフェイス、方針及び課金ルール機能Ｇｘインターフェイス、及びモバイルエッジコンピューティングＭｐ２基準点のうちの１つを経て搬送され、及び／又は
前記サービスの前記各送信参加者及び前記サービスの前記各受信参加者のいずれかは、前記ルールストレージに記憶された前記サービス送付ルールにおいてワイルドカードにより指示され、及び／又は
前記メッセージは、更に、前記サービスに関連したサービングステーションによりサービスされるサービスエリア、前記サービングステーションのステーション識別子、及び前記サービスへの前記メッセージの所属を表わすサービス識別子に関する情報の少なくとも１つを含む、
請求項１から４のいずれかに記載の方法。
【請求項６】
前記第１の参加者のＩＰアドレス、及び前記ＩＰアドレスとは異なるメッセージ識別を使用することにより前記メッセージを識別し、及び
前記メッセージを前記第２の参加者へ送付するために前記メッセージ識別及び前記第１の参加者の前記ＩＰアドレスに基づいて前記送付ルールを適用する、
ことを更に含む、請求項１から５のいずれかに記載の方法。
【請求項７】
第１の参加者からデータパケットを受け取り、前記データパケットは、前記メッセージを含み、
前記受け取ったデータパケットのペイロードに含まれたメッセージ識別に基づいて前記メッセージのタイプを識別し、及び
前記メッセージの前記識別されたタイプに基づいて送付ルールを選択する、
ことを更に含む、請求項１から５のいずれかに記載の方法。
【請求項８】
モバイルデバイス間情報交換サービスの管理機能をホストする前記サービスの制御プレーンエンティティにより、サービスエリアにおける前記サービスの複数の参加者に関する情報を維持し、
前記サービスに関連したメッセージを、前記サービスエリアにおける前記サービスの前記複数の参加者に関する前記情報に基づいて、前記複数の参加者の送信参加者から、前記複数の参加者の受信参加者へ送付することを表わす送付ルールを生成し、及び
前記送付ルールを前記サービスのユーザプレーンエンティティへ送信し、前記ユーザプレーンエンティティは、前記制御プレーンエンティティと前記サービスの第１の参加者との間の接続路、及び前記制御プレーンエンティティと前記サービスの第２の参加者との間の接続路に配置される、
ことを含む方法。
【請求項９】
前記サービスに新たな参加者を登録するための登録メッセージ、又は前記サービスから現在参加者を登録解除するための登録解除メッセージを受け取り、
前記登録メッセージが受け取られる場合には、前記生成することは、
前記新たな参加者を前記送信参加者とすることに基づいて前記サービスに関連したメッセージを送付することを表わす少なくとも１つの送付ルール、及び前記新たな参加者を前記受信参加者とすることに基づいて前記サービスに関連したメッセージを送付することを表わす少なくとも１つの送付ルールを生成する、
ことを含み、及び
前記登録解除メッセージが受け取られる場合には、前記方法は、更に、
少なくとも前記現在参加者を識別しそして前記現在参加者に関連した送付ルールを除去するインストラクションを表わす送付ルール除去インストラクションを前記ユーザプレーンエンティティへ送信する、
ことを含む、請求項８に記載の方法。
【請求項１０】
前記ユーザプレーンエンティティから、前記メッセージの起点を表わす前記サービスに関連したメッセージを受け取り、及び
前記メッセージの前記起点が、前記サービスエリアにおける前記サービスの前記複数の参加者に関する前記情報のエントリに対応するかどうかチェックする、
ことを更に含み、及び
前記チェックの結果として、前記メッセージの前記起点が、前記サービスエリアにおける前記サービスの前記複数の参加者に関する前記情報のエントリに対応しない場合には、前記方法は、更に、前記メッセージの前記起点に対応する新たなエントリを、前記サービスエリアにおける前記サービスの前記複数の参加者に関する前記情報に追加することを含み、及び前記生成することは、
前記新たなエントリを前記送信参加者とすることに基づいて前記サービスに関連したメッセージを送付することを表わす少なくとも１つの送付ルール、及び前記新たなエントリを前記受信参加者とすることに基づいて前記サービスに関連したメッセージを送付することを表わす少なくとも１つの送付ルールを生成する、
ことを含む、請求項８又は９に記載の方法。
【請求項１１】
前記サービスエリアにおける前記サービスの前記複数の参加者に関する前記情報の各エントリに対し、前記エントリから発信される前記サービスに関連した前記最後に受け取られたメッセージからの経過時間を監視することを更に含み、
前記時間が所定時間を越える場合には、前記方法は、更に、
少なくとも前記エントリを識別しそして前記エントリに関連した送付ルールを除去するためのインストラクションを表わす送付ルール除去インストラクションを前記ユーザプレーンエンティティへ送付する、
ことを含む、請求項８から１０のいずれかに記載の方法。
【請求項１２】
前記モバイルデバイス間情報交換サービスは、乗物対Ｘ通信サービス、混雑におけるブロードバンドアクセスのサービス、及びモバイルゲームアプリケーションに関連したサービスのうちの１つであり、及び／又は
前記メッセージは、協働アウェアネスメッセージ又は分散型環境通知メッセージであり、及び／又は
前記サービスは、特定のポートにより指示され、及び／又は
前記送付ルールは、ＯｐｅｎＦｌｏｗ  ＦｌｏｗＭｏｄメッセージ、インターナショナルテレグラフユニオンテレコミュニケーションスタンダージエーションセクターゲートウェイコントロールプロトコルＨ．２４８、制御及びユーザプレーン分離Ｓｘインターフェイス、方針及び課金ルール機能Ｒｘインターフェイス、方針及び課金ルール機能Ｇｘインターフェイス、及びモバイルエッジコンピューティングＭｐ２基準点のうちの１つを経て搬送され、及び／又は
前記複数の参加者のうちの前記送信参加者及び前記複数の参加者のうちの前記受信参加者のいずれかは、前記送付ルールにおいてワイルドカードにより指示され、及び／又は
前記メッセージは、前記サービスに関連したサービングステーションによりサービスされるサービスエリア、前記サービングステーションのステーション識別子、及び前記サービスへの前記メッセージの所属を表わすサービス識別子に関する情報の少なくとも１つを含む、
請求項８から１１のいずれかに記載の方法。
【請求項１３】
モバイルデバイス間情報交換サービスの管理機能をホストする前記サービスの制御プレーンエンティティから、前記サービスに関連した第１のメッセージを受け取り、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含み、及び
前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信し、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである、方法。
【請求項１４】
モバイルデバイス間情報交換サービスのユーザプレーンエンティティの装置において、
前記サービスの管理機能をホストする前記サービスの制御プレーンエンティティから、前記サービスに関連したメッセージを前記サービスの参加者間に送付するための送付ルールを受け取るように構成された受信回路を備え、前記ユーザプレーンエンティティは、前記制御プレーンエンティティと前記サービスの第１の参加者との間の接続路、及び前記制御プレーンエンティティと前記サービスの第２の参加者との間の接続路に配置され、
前記送付ルールをルールストレージに記憶するように構成された記憶回路を更に備え、前記ルールストレージに記憶された送付ルールの各々は、前記サービスに関連したメッセージを前記サービスの各送信参加者から前記サービスの各受信参加者へ送付することを表わし、
前記受信回路は、更に、前記サービスの前記第１の参加者からメッセージを受け取るように構成され、前記メッセージは、前記サービス及び前記サービスの前記第１の参加者を表わし、及び
前記送付ルールに基づいて前記サービスの前記第２の参加者へ前記メッセージを送付すべきかどうか判断するように構成された判断回路、及び
前記判断の結果が肯定であるときに前記メッセージを前記サービスの前記第２の参加者へ送付するように構成された送付回路、
を更に備えた装置。
【請求項１５】
モバイルデバイス間情報交換サービスの管理機能をホストする前記サービスの制御プレーンエンティティの装置において、
サービスエリアにおける前記サービスの複数の参加者に関する情報を維持するように構成された維持回路、
前記サービスに関連したメッセージを、前記サービスエリアにおける前記サービスの前記複数の参加者に関する前記情報に基づき、前記複数の参加者の送信参加者から、前記複数の参加者の受信参加者へ送付することを表わす送付ルールを生成するように構成された生成回路、及び
前記送付ルールを前記サービスのユーザプレーンエンティティへ送信するように構成された送信回路、
を備え、前記ユーザプレーンエンティティは、前記制御プレーンエンティティと前記サービスの前記第１の参加者との間の接続路、及び前記制御プレーンエンティティと前記サービスの前記第２の参加者との間の接続路に配置される、装置。
【請求項１６】
モバイルデバイス間情報交換サービスの管理機能をホストする前記サービスの制御プレーンエンティティから、前記サービスに関連した第１のメッセージを受け取るように構成された受信回路を備え、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含み、及び
前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信するように構成された送信回路を更に備え、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである、装置。
【請求項１７】
処理デバイスにより実行されたときに、
前記サービスの管理機能をホストする前記サービスの制御プレーンエンティティから、前記サービスに関連したメッセージを前記サービスの参加者間に送付するための送付ルールを受け取り、前記ユーザプレーンエンティティは、前記制御プレーンエンティティと前記サービスの第１の参加者との間の接続路、及び前記制御プレーンエンティティと前記サービスの第２の参加者との間の接続路に配置され、
前記送付ルールをルールストレージに記憶し、前記ルールストレージに記憶された送付ルールの各々は、前記サービスに関連したメッセージを前記サービスの各送信参加者から前記サービスの各受信参加者へ送付することを表わし、
前記サービスの前記第１の参加者からメッセージを受け取り、前記メッセージは、前記サービス及び前記サービスの前記第１の参加者を表わし、
前記送付ルールに基づいて前記サービスの前記第２の参加者へ前記メッセージを送付すべきかどうか判断し、及び
前記判断の結果が肯定であるときに前記メッセージを前記サービスの前記第２の参加者へ送付する、
ことを含む方法を遂行するインストラクションを記憶する非一時的コンピュータ読み取り可能な媒体。
【請求項１８】
処理デバイスにより実行されたときに、
モバイルデバイス間情報交換サービスの管理機能をホストする前記サービスの制御プレーンエンティティにより、サービスエリアにおける前記サービスの複数の参加者に関する情報を維持し、
前記サービスに関連したメッセージを、前記サービスエリアにおける前記サービスの前記複数の参加者に関する前記情報に基づいて、前記複数の参加者の送信参加者から、前記複数の参加者の受信参加者へ送付することを表わす送付ルールを生成し、及び
前記送付ルールを前記サービスのユーザプレーンエンティティへ送信し、前記ユーザプレーンエンティティは、前記制御プレーンエンティティと前記サービスの前記第１の参加者との間の接続路、及び前記制御プレーンエンティティと前記サービスの第２の参加者との間の接続路に配置される、
ことを含む方法を遂行するインストラクションを記憶する非一時的コンピュータ読み取り可能な媒体。
【請求項１９】
処理デバイスにより実行されたときに、
モバイルデバイス間情報交換サービスの管理機能をホストする前記サービスの制御プレーンエンティティから、前記サービスに関連した第１のメッセージを受け取り、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含むものであり、及び
前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信し、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである、
ことを含む方法を遂行するインストラクションを記憶する非一時的コンピュータ読み取り可能な媒体。
【発明の詳細な説明】
【技術分野】
【０００１】
本発明は、モバイル低レイテンシーサービスの効率的で且つ動的なサポートに関する。より詳細には、本発明は、例えば、モバイル低レイテンシーサービスの効率的で且つ動的なサポートを実現するための手段（方法、装置及びコンピュータプログラム製品を含む）に関する。
【背景技術】
【０００２】
本発明は、一般的に、超低レイテンシー接続を要求する超低レイテンシーサービスに関する。乗物対Ｘ（Ｖ２Ｘ）通信は、そのような超低レイテンシーサービスであり、Ｖ２Ｘサービスは、例えば、乗物対乗物及び乗物対歩行者サービスを含む。
【０００３】
以下の説明では、本発明を適用できる超低レイテンシーサービスの一例としてＶ２Ｘを参照するが、本発明の分野は、Ｖ２Ｘに限定されず、例えば、ゲームアプリケーション、及び「混雑におけるブロードバンドアクセス」のような更に別の超低レイテンシーサービスにも適用できる。
【０００４】
上述したように、Ｖ２Ｘ関連サービスは、超低レイテンシー接続を要求する。例えば、第３世代パートナーシッププロジェクト（３ＧＰＰ）ＴＲ２２．８８５“Study on LTE Support for V2X services”、第５．１２章（“Pre-crash Warning”）によれば、２０ｍｓ未満の遅延が要求される。更に、インターネットエンジニアリングタスクフォース（ＩＥＴＦ）草案“Deterministic Networking Use Cases Version 03”、第８．５章（“Vehicle to Vehicle”）によれば、そのようなサービスに対して５ｍｓという要求も与えられる。
【０００５】
従って、現在、Ｖ２Ｘサーバーアプリケーションを、モバイルエッジコンピューティング（ＭＥＣ）サーバー、例えば、進化型ＮｏｄｅＢ（ｅＮｏｄｅＢ、ｅＮＢ）又は分散型クラウド／データセンター（レイテンシーの観点からｅＮＢサイトに依然非常に近い）で実行することが要求される。その結果、Ｖ２Ｘサーバーアプリケーションは、コスト高で且つ多数のｅＮＢサイトにわたって分散される各ｅＮＢに配備されるか、或いはレイテンシーに関して接近したクラウドに配備されるかのいずれかである。いずれにせよ、対応するアプリケーションの全てのユーザプレーントラフィックは、ＭＥＣ（以前は無線アプリケーションクラウドサーバー（ＲＡＣＳ）として知られていた）プラットホーム、及びその最上部で実行されるＶ２Ｘアプリケーションへ送付されねばならない。
【０００６】
しかしながら、そのような解決策は、データ量の定常的な増加のために将来益々不足のリソースとなる送付容量を消費する。上述したＶ２Ｘシナリオでは、そのような解決策によれば、例えば、ある乗物から別の乗物へ送信されるべきメッセージは、特定のメッセージをどこに送信すべきかの考慮、評価及び判断のために、最初に、Ｖ２Ｘサーバーアプリケーションまで送信されねばならない。（ＭＥＣサーバーでホストされるＶ２Ｘサーバーアプリケーションの）この判断の後にのみ、それに対応するメッセージが、アドレスされた乗物へ送付される。
【０００７】
Ｖ２Ｘ能力は、「歩行者の衝突に対して歩行者に警報を与える」ことを含む（例えば、３ＧＰＰ  ＴＲ２２．８８５“Study on LTE Support for V2X services”を参照されたい）。衝突を回避できるためには、当事者間で特殊な警報メッセージを交換しなければならない。
【０００８】
対応する規範的シナリオが図９に示されており、乗物９１及び歩行者９２は、各々見える範囲にいない間は、衝突に向かって進んでいる（９１ａ、９２ａ）。歩行者の衝突に対して前記警報を可能にするために、メッセージは、乗物から歩行者へカーブした矢印（９３）で示すように送信されねばならない。
【０００９】
Ｖ２Ｘ能力は、更に、乗物間の「クラッシュ前感知警報」を含む。このクラッシュ前感知警報は、交差する車があるかもしれないと考えることも要求する。そのようなケースでは、少なくとも２台の車の衝突が考えられる。その結果、対応する警報メッセージを（少なくとも）それら２台の車の間で交換する必要がある。更に、それら２台の車は、２つの異なるｅＮＢ又は無線アクセスネットワーク（例えば、５Ｇ無線アクセスネットワーク（ＲＡＮ））にアタッチされることもある。
【００１０】
これは、アプリケーションサーバーが「ローカル」な知識（即ち、「自身」のｅＮＢに限定された知識）しかもたない実施は、いずれかのケースでは機能しない（即ち、少なくとも、２台の車が２つの異なるｅＮＢにアタッチされたケースでは機能しない）ことを意味する。更に、この状況において、ローミングをサポートすべきであるという要求があることも考えねばならず（例えば、３ＧＰＰ  ＴＲ２２．８８５“Study on LTE Support for V2X services”、第５．２１．５章を参照）、これは、ｅＮＢにおいてＶ２Ｘサーバーアプリケーションを実施するケースでは問題となる）。
【００１１】
これは、更に、Ｖ２Ｘ通信が直接的な車対車通信により実行される実施は、いずれかのケースでは機能しない（即ち、天気条件（例えば、霧）及びトポロジーブロッキング（例えば、ビル及びビルによる陰）のようなある環境の下では容易に機能しない）ことを意味する。更に、車と道路ユニットとの間の直接的な通信は、高価な路側装置の大量の配備を要求する。
【００１２】
以上、Ｖ２Ｘ要求に関して述べたが、ＭＥＣサイトにおけるサービス、特に、超低レイテンシーサービスに関する実質的アプリケーションの処分も、同様の問題を引き起こす。特に、ＭＥＣアプリケーションは、例えば、Ｓ１インターフェイスで搬送される全てのトラフィックにおいて関心のないものである。
【００１３】
乗物対乗物（Ｖ２Ｖ）通信のような乗物通信については、上述したように、超低レイテンシー要求を満足するため、対応するサーバーアプリケーションがｅＮＢにおけるＭＥＣサーバーでホストされることに注意されたい。ここでは、当然、少なくとも、ユーザ装置（ＵＥ）ハンドオーバー及び各サーバーアプリケーションのリロケーションに関する課題が生じる。更に、そのような解決策では、ビット当たりの処理コストが、集中型データセンターサーバーなしでは高くなることが予想される。
【００１４】
Ｖ２Ｘの超低レイテンシー要求を満足できる限り、ＭＥＣフレームワーク（ひいては、サーバーアプリケーション）は、レイテンシーの観点（超低レイテンシー要求）からｅＮＢサイトに充分接近したローカル／分散型クラウドセンターサイトに配置されてもよい。
【００１５】
しかしながら、ＥＴＳＩ  ＴＲ１０２  ９６２  Ｖ１．１．１によれば、Ｖ２Ｘメッセージは、協働型インテリジェントトランスポートシステム（Ｃ−ＩＴＳ）サーバー１０１（例えば、図１０）へ送信される。
【００１６】
即ち、全てのＶ２Ｘメッセージは、乗物アプリケーションからサーバー（Ｃ−ＩＴＳ）１０１のＶ２Ｘサーバーアプリケーションへと直接送信され、これは、次いで、このサービスに関与している車（１０２、１０３）の乗物側アプリケーションへ通信を再分布することを必要とする。
【００１７】
その結果、例えば、長期進化（ＬＴＥ）及び／又は５Ｇでは、Ｖ２Ｘ関連メッセージを送信するための選択肢が２つある。
【００１８】
即ち、一方では、通信メッセージは、全て、パケットデータネットワークのゲートウェイ（ＰＧＷ、ＰＤＮ−ＧＷ）又は５Ｇネットワーク（又は後継ネットワーク）の対応ゲートウェイを経て（データセンターのサーバーにおける）Ｖ２Ｘサーバーアプリケーションへ送信され、そして（データセンターのサーバーにおける）Ｖ２ＸサーバーアプリケーションからＰＧＷを経て車のＶ２Ｘアプリケーションへ返送される。
【００１９】
更に、他方では、通信メッセージは、そのようなＶ２ＸサーバーアプリケーションをホストするＭＥＣ／ＲＡＣＳ（ｅＮＢに配備された）へ送信され、そして車のＶ２Ｘアプリケーションへ返送される。
【００２０】
この点に関して、例えば、３ＧＰＰ  ＴＳ２３．２０３（「方針及び課金制御アーキテクチャー」）によれば、５ＧアーキテクチャーのＰＧＷ又はそれに対応するゲートウェイは、方針及び課金実施機能（ＰＣＥＦ）を実施し、そしてアプリケーション機能（ＡＦ）は、図１１に示すように、ＰＣＥＦを構成することが許されることに注意されたい。
【００２１】
図１２は、超低レイテンシー要求のためにｅＮＢでホストされるＶ２Ｘサーバーアプリケーションのようなアプリケーションを伴う例を示す。Ｖ２Ｘサーバーアプリケーションは、（コアの無線側から）全トラフィックを受け取る。従って、アプリケーション／サービスペイロード（即ち、通信メッセージ）は、例えば、Ｖ２Ｘアプリケーションまで完全に送信され、そして最終的な行先に向かって送付される。
【００２２】
上述した通信メッセージに関して、ＥＴＳＩ  ＴＳ１０２  ６３７−１“Intelligent Transport Systems (ITS), Vehicular Communications, Basic Set of Applications, Part 1: Functional Requirement”（第６．１．４．３章、ＵＣ００３“Intersection collision warning”によれば、協力／協働アウェアネスメッセージ（ＣＡＭ）及びおそらく分散型環境通知メッセージ（ＤＥＮＭ）は、考えられるリスクについて他の乗物に警告するために送信されることに注意されたい。
【００２３】
ＥＴＳＩ  ＥＮ３０２  ６３６−５−１（Intelligent Transport Systems (ITS), Vehicular Communications, GeoNetworking, Part 5: Transport Protocols, Sub-part 1: basic transport protocol(BTP)）では、ＣＡＭ及びＤＥＮＭメッセージを搬送するＶ２Ｘステージ３トランスポートプロトコルが特定される。
【００２４】
従って、ＢＴＰ内で、ＣＡＭ及びＤＥＮＭメッセージは、以下のテーブルから導出可能な各ポートにより区別される。これらメッセージに関する詳細は、以下のテーブルに示された関連規格から導出可能である。
2019533341.tif 000003
【００２５】
更に別の従来技術として、デバイス対デバイス（Ｄ２Ｄ）通信技術である接近サービス（ＰｒｏＳｅ）が知られている。このＰｒｏＳｅの発見及び接続手順が図１３に示されている。
【００２６】
ＰｒｏＳｅの原理を適用すると、互いに１５０ｍ離れた２つのデバイス間の接続が確立されるまで約１０ｓを要することになる。従って、このＤ２Ｄ解決策は、Ｖ２Ｘの状況で交差点衝突警報を使用するケースでは、実現不能で且つ充分ではない。例えば、両方の車が、直交する街路を５０ｋｍ／ｈの速度で移動する場合に、それらは、それらの間の接続が確立される前でも衝突することがある。更に、都市エリアでは、１５０ｍ以内の接続が（例えば、シャドー作用のために）完全に可能であるかどうか疑問である。
【発明の概要】
【発明が解決しようとする課題】
【００２７】
その結果、上述した既知の技術の欠点及び欠陥を克服する解決策が要望される。
【００２８】
特に、既知の技術は、超低レイテンシー接続を与えず、コスト高で、且つ分散型ファシリティを要求し、高い処理能力を要求し、そして高いトラフィック負荷を引き起こすという問題が生じる。
【００２９】
従って、モバイル低レイテンシーサービスの効率的で且つ動的なサポートを提供することが要望される。
【００３０】
本発明の種々の規範的実施形態は、前記問題及び／又は課題及び欠点の少なくとも一部分を取り扱うことを目的とする。
【００３１】
本発明の規範的実施形態の種々の観点は、特許請求の範囲に規定される。
【課題を解決するための手段】
【００３２】
本発明の規範的観点によれば、モバイルデバイス間情報交換サービスのユーザプレーンエンティティにより、前記サービスの管理機能をホストする前記サービスの制御プレーンエンティティから、前記サービスに関連したメッセージを前記サービスの参加者間に送付するための送付ルールを受け取ることを含み、前記ユーザプレーンエンティティは、前記制御プレーンエンティティと前記サービスの第１の参加者との間の接続路、及び前記制御プレーンエンティティと前記サービスの第２の参加者との間の接続路に配置され、更に、前記送付ルールをルールストレージに記憶することを含み、前記ルールストレージに記憶された送付ルールの各々は、前記サービスに関連したメッセージを前記サービスの各送信参加者から前記サービスの各受信参加者へ送付することを表わし、更に、前記サービスの前記第１の参加者からメッセージを受け取ることを含み、前記メッセージは、前記サービス及び前記サービスの前記第１の参加者を表わし、更に、前記送付ルールに基づいて前記サービスの前記第２の参加者へ前記メッセージを送付すべきかどうか判断し、及び前記判断の結果が肯定であるときに前記メッセージを前記サービスの前記第２の参加者へ送付することを含む方法が提供される。
【００３３】
本発明の規範的観点によれば、モバイルデバイス間情報交換サービスの管理機能をホストする前記サービスの制御プレーンエンティティにより、サービスエリアにおける前記サービスの複数の参加者に関する情報を維持し、前記サービスに関連したメッセージを、前記サービスエリアにおける前記サービスの前記複数の参加者に関する前記情報に基づき、前記複数の参加者の送信参加者から、前記複数の参加者の受信参加者へ送付することを表わす送付ルールを生成し、及び前記送付ルールを前記サービスのユーザプレーンエンティティへ送信し、前記ユーザプレーンエンティティは、前記制御プレーンエンティティと前記サービスの第１の参加者との間の接続路、及び前記制御プレーンエンティティと前記サービスの第２の参加者との間の接続路に配置される、ことを含む方法が提供される。
【００３４】
本発明の規範的観点によれば、モバイルデバイス間情報交換サービスの管理機能をホストする前記サービスの制御プレーンエンティティから、前記サービスに関連した第１のメッセージを受け取ることを含み、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含み、及び前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信することを更に含み、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである、方法が提供される。
【００３５】
本発明の規範的観点によれば、モバイルデバイス間情報交換サービスのユーザプレーンエンティティの装置において、前記サービスの管理機能をホストする前記サービスの制御プレーンエンティティから、前記サービスに関連したメッセージを前記サービスの参加者間に送付するための送付ルールを受け取るように構成された受信回路を備え、前記ユーザプレーンエンティティは、前記制御プレーンエンティティと前記サービスの第１の参加者との間の接続路、及び前記制御プレーンエンティティと前記サービスの第２の参加者との間の接続路に配置され、更に、前記送付ルールをルールストレージに記憶するように構成された記憶回路を備え、前記ルールストレージに記憶された送付ルールの各々は、前記サービスに関連したメッセージを前記サービスの各送信参加者から前記サービスの各受信参加者へ送付することを表わし、前記受信回路は、前記サービスの前記第１の参加者からメッセージを受け取るように更に構成され、前記メッセージは、前記サービス及び前記サービスの前記第１の参加者を表わし、更に、前記送付ルールに基づいて前記サービスの前記第２の参加者へ前記メッセージを送付すべきかどうか判断するように構成された判断回路、及び前記判断の結果が肯定であるときに前記メッセージを前記サービスの前記第２の参加者へ送付するように構成された送付回路を備えた装置が提供される。
【００３６】
本発明の規範的観点によれば、モバイルデバイス間情報交換サービスの管理機能をホストする前記サービスの制御プレーンエンティティの装置において、サービスエリアにおける前記サービスの複数の参加者に関する情報を維持するように構成された維持回路、前記サービスに関連したメッセージを、前記サービスエリアにおける前記サービスの前記複数の参加者に関する前記情報に基づき、前記複数の参加者の送信参加者から、前記複数の参加者の受信参加者へ送付することを表わす送付ルールを生成するように構成された生成回路、及び前記送付ルールを前記サービスのユーザプレーンエンティティへ送信するように構成された送信回路、を備え、前記ユーザプレーンエンティティは、前記制御プレーンエンティティと前記サービスの第１の参加者との間の接続路、及び前記制御プレーンエンティティと前記サービスの前記第２の参加者との間の接続路に配置される、装置が提供される。
【００３７】
本発明の規範的観点によれば、モバイルデバイス間情報交換サービスの管理機能をホストする前記サービスの制御プレーンエンティティから、前記サービスに関連した第１のメッセージを受け取るように構成された受信回路を備え、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含み、及び前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信するように構成された送信回路を更に備え、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである装置が提供される。
【００３８】
本発明の規範的観点によれば、モバイルデバイス間情報交換サービスの管理機能をホストする前記サービスの制御プレーンエンティティの装置において、少なくとも１つのプロセッサ、コンピュータプログラムコードを含む少なくとも１つのメモリ、及び少なくとも別の装置と通信するように構成された少なくとも１つのインターフェイスを備え、少なくとも１つのプロセッサは、少なくとも１つのメモリ及びコンピュータプログラムコードとで、装置が、前記サービスの管理機能をホストするモバイルデバイス間情報交換サービスの制御プレーンエンティティにより、サービスエリアにおける前記サービスの複数の参加者に関する情報を維持し、前記サービスに関連したメッセージを、前記サービスエリアにおける前記サービスの前記複数の参加者に関する前記情報に基づいて、前記複数の参加者の送信参加者から、前記複数の参加者の受信参加者へ送付することを表わす送付ルールを生成し、及び前記送付ルールを前記サービスのユーザプレーンエンティティへ送信することを遂行するようにさせるよう構成され、前記ユーザプレーンエンティティは、前記制御プレーンエンティティと前記サービスの前記第１の参加者との間の接続路、及び前記制御プレーンエンティティと前記サービスの前記第２の参加者との間の接続路に配置される、装置が提供される。
【００３９】
本発明の規範的観点によれば、モバイルデバイス間情報交換サービスの管理機能をホストする前記サービスの制御プレーンエンティティの装置において、少なくとも１つのプロセッサ、コンピュータプログラムコードを含む少なくとも１つのメモリ、及び少なくとも別の装置と通信するように構成された少なくとも１つのインターフェイスを備え、少なくとも１つのプロセッサは、少なくとも１つのメモリ及びコンピュータプログラムコードとで、装置が、モバイルデバイス間情報交換サービスの管理機能をホストする前記サービスの制御プレーンエンティティから、前記サービスに関連した第１のメッセージを受け取ることを遂行するようにさせるよう構成され、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含み、及び前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信することを遂行するようにさせるよう構成され、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである、装置が提供される。
【００４０】
本発明の規範的観点によれば、プログラムがコンピュータ（例えば、本発明の前記装置関連の規範的観点の１つによる装置のコンピュータ）において実行されたときに、コンピュータが、本発明の前記方法関連の規範的観点の１つによる方法を実行するようにさせるよう構成されたコンピュータ実行可能なコンピュータプログラムコードを含むコンピュータプログラム製品が提供される。
【００４１】
そのようなコンピュータプログラム製品は、コンピュータ実行可能なコンピュータプログラムコードが記憶された（有形の）コンピュータ読み取り可能な（ストレージ）媒体等を含み（又は実施され）、及び／又はプログラムは、コンピュータの内部メモリ又はそのプロセッサへ直接ロードすることができる。
【００４２】
より詳細には、本発明の規範的観点によれば、処理装置により実行されたときに、第１の方法、第２の方法、及び第３の方法の少なくとも１つを遂行するインストラクションを記憶する非一時的コンピュータ読み取り可能な媒体において、第１の方法は、前記サービスの管理機能をホストする前記サービスの制御プレーンエンティティから、前記サービスに関連したメッセージを前記サービスの参加者間に送付するための送付ルールを受け取り、前記ユーザプレーンエンティティは、前記制御プレーンエンティティと前記サービスの第１の参加者との間の接続路、及び前記制御プレーンエンティティと前記サービスの第２の参加者との間の接続路に配置され、前記送付ルールをルールストレージに記憶し、前記ルールストレージに記憶された送付ルールの各々は、前記サービスに関連したメッセージを前記サービスの各送信参加者から前記サービスの各受信参加者へ送付することを表わし、前記サービスの前記第１の参加者からメッセージを受け取り、前記メッセージは、前記サービス及び前記サービスの前記第１の参加者を表わし、前記送付ルールに基づいて前記サービスの前記第２の参加者へ前記メッセージを送付すべきかどうか判断し、及び前記判断の結果が肯定であるときに前記メッセージを前記サービスの前記第２の参加者へ送付する、ことを含み、前記第２の方法は、モバイルデバイス間情報交換サービスの管理機能をホストする前記サービスの制御プレーンエンティティにより、サービスエリアにおける前記サービスの複数の参加者に関する情報を維持し、前記サービスに関連したメッセージを、前記サービスエリアにおける前記サービスの前記複数の参加者に関する前記情報に基づいて、前記複数の参加者の送信参加者から前記複数の参加者の受信参加者へ送付することを表わす送付ルールを生成し、及び前記送付ルールを前記サービスのユーザプレーンエンティティへ送信し、前記ユーザプレーンエンティティは、前記制御プレーンエンティティと前記サービスの第１の参加者との間の接続路、及び前記制御プレーンエンティティと前記サービスの第２の参加者との間の接続路に配置される、ことを含み、そして第３の方法は、モバイルデバイス間情報交換サービスの管理機能をホストする前記サービスの制御プレーンエンティティから、前記サービスに関連した第１のメッセージを受け取り、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含み、及び前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信し、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである、非一時的コンピュータ読み取り可能な媒体が提供される。
【００４３】
本発明の規範的／例示的観点によれば、プログラムがコンピュータ（例えば、本発明の前記装置関連の規範的観点の１つによる装置のコンピュータ）において実行されたとき、コンピュータが、本発明の前記方法関連の規範的観点の１つによる方法を実行するようにさせるよう構成されたコンピュータ実行可能なコンピュータプログラムコードを含むコンピュータプログラム製品が提供される。
【００４４】
そのようなコンピュータプログラム製品は、コンピュータ実行可能なコンピュータプログラムコードが記憶された（有形の）コンピュータ読み取り可能な（ストレージ）媒体等を含み（又は実施され）、及び／又はプログラムは、コンピュータの内部メモリ又はそのプロセッサへ直接ロードすることができる。
【００４５】
前記観点は、いずれも、モバイル低レイテンシーサービスを効率的に取り扱って、従来技術に関連して述べた問題及び欠点の少なくとも一部分を解消することができる。
【００４６】
本発明の規範的実施形態により、モバイル低レイテンシーサービスの効率的で且つ動的なサポートが提供される。より詳細には、本発明の規範的実施形態により、（特にＶ２Ｘ通信に関連して）モバイル低レイテンシーサービスの効率的で且つ動的なサポートを実現するための手段及びメカニズムが提供される。
【００４７】
従って、モバイル低レイテンシーサービスの効率的で且つ動的なサポートを可能にし／実現する方法、装置及びコンピュータプログラム製品により改良が得られる。
【００４８】
以下、添付図面を参照した非限定例により本発明を詳細に説明する。
【図面の簡単な説明】
【００４９】
【図１】本発明の規範的実施形態による装置のブロック図である。
【図２】本発明の規範的実施形態による装置のブロック図である。
【図３】本発明の規範的実施形態による装置のブロック図である。
【図４】本発明の規範的実施形態による装置のブロック図である。
【図５】本発明の規範的実施形態による装置のブロック図である。
【図６】本発明の規範的実施形態による手順の概略図である。
【図７】本発明の規範的実施形態による手順の概略図である。
【図８】本発明の規範的実施形態による手順の概略図である。
【図９】乗物及び歩行者が衝突に向かう規範的シナリオを示す概略図である。
【図１０】２つの乗物及び協働インテリジェントトランスポートシステムを含む規範的シナリオの概略図である。
【図１１】規範的な方針及び課金制御ロジックアーキテクチャーを示す概略図である。
【図１２】ｅＮＢ又はその付近でホストされるアプリケーションの規範的シナリオを示す概略図である。
【図１３】規範的な接近サービスシナリオを示す概略図である。
【図１４】本発明の規範的実施形態によりホストされるアプリケーションを伴う規範的シナリオの概略図である。
【図１５】本発明の規範的実施形態による規範的Ｖ２Ｖシナリオを示す概略図である。
【図１６】本発明の規範的実施形態による規範的な方針及び課金制御ロジックアーキテクチャーを示す概略図である。
【図１７】本発明の規範的実施形態によるモバイルエッジコンピューティングシステムの概略図である。
【図１８】本発明の規範的実施形態による装置を別に示すブロック図である。
【発明を実施するための形態】
【００５０】
特定の非限定例及び現在本発明の適当な実施形態と考えられるものを参照して本発明を以下に説明する。当業者であれば、本発明は、これらの例に何ら限定されず、より広範囲に適用できることが明らかであろう。
【００５１】
本発明及びその実施形態の以下の説明は、主として、ある規範的ネットワーク構成及び配備の非限定例として使用される仕様を参照することに注意されたい。即ち、本発明及びその実施形態は、主として、ある規範的ネットワーク構成及び配備の非限定例として使用される３ＧＰＰ仕様に関連して説明される。より詳細には、このように記述される規範的実施形態を適用できる非限定例としてＶ２Ｘ通信が使用される。従って、ここに述べる規範的実施形態の説明は、特に、それに直接関連した用語を参照する。そのような用語は、ここに示す非限定例に関してのみ使用され、当然、本発明を何ら限定するものではない。むしろ、他の通信又は通信関連システム配備等も、ここに述べる特徴に合致する限り、利用することができる。
【００５２】
以下、本発明の種々の実施形態及び具現化そしてその観点又は実施形態を、多数の変形例及び／又は代替例を使用して説明する。一般的に、幾つかの必要性及び制約に従って、ここに述べる変形例及び／又は代替例は、全て、単独で提供されてもよいし、又は適当な組み合わせで提供されてもよい（種々の変形例及び／又は代替例の個々の特徴の組み合せも含めて）ことに注意されたい。
【００５３】
本発明の規範的実施形態によれば、一般的に、（特にＶ２Ｘ通信に関連して）モバイル低レイテンシーサービスの効率的及び動的なサポートのための（それを可能にし／実現するための）手段及びメカニズムが提供される。
【００５４】
従来技術の欠点に鑑み、本発明は、サーバーアプリケーションへトラフィックを送付するのではなく、ネットワークにトラフィックを保持するためのメカニズムを提供するのが有益であるという考え方に基づく。そのようにすれば、例えば、トラフィック及びＣＰＵリソースの送付が節約される。
【００５５】
図１は、本発明の規範的実施形態による装置のブロック図である。この装置は、受信回路１１、記憶回路１２、判断回路１３、及び送付回路１４を備えたユーザプレーンエンティティ１０である。受信回路１１は、前記サービスの管理機能をホストする前記サービスの制御プレーンエンティティから、前記サービスに関連したメッセージを前記サービスの参加者間に送付するための送付ルールを受け取り、前記ユーザプレーンエンティティは、前記制御プレーンエンティティと前記サービスの第１の参加者との間の接続路、及び前記制御プレーンエンティティと前記サービスの第２の参加者との間の接続路に配置される。記憶回路１２は、前記送付ルールをルールストレージに記憶し、前記ルールストレージに記憶された送付ルールの各々は、前記サービスに関連したメッセージを前記サービスの各送信参加者から前記サービスの各受信参加者へ送付することを表わす。受信回路１１は、更に、前記サービスの前記第１の参加者からメッセージを受け取り、前記メッセージは、前記サービス及び前記サービスの前記第１の参加者を表わす。判断回路１３は、前記送付ルールに基づいて前記サービスの前記第２の参加者へ前記メッセージを送付すべきかどうか判断する。送付回路１４は、前記判断の結果が肯定であるときに前記メッセージを前記サービスの前記第２の参加者へ送付する。図６は、本発明の規範的実施形態による手順の概略図である。図１の装置は、図６の方法を遂行するが、この方法に限定されない。図６の方法は、図１の装置により遂行されるが、この装置による遂行に限定されない。
【００５６】
図６に示すように、本発明の規範的実施形態による手順は、モバイルデバイス間情報交換サービスのユーザプレーンエンティティにより、前記サービスの管理機能をホストする前記サービスの制御プレーンエンティティから、前記サービスに関連したメッセージを前記サービスの参加者間に送付するための送付ルールを受け取り、前記ユーザプレーンエンティティは、前記制御プレーンエンティティと前記サービスの第１の参加者との間の接続路、及び前記制御プレーンエンティティと前記サービスの第２の参加者との間の接続路に配置される動作（Ｓ６１）、前記送付ルールをルールストレージに記憶し、前記ルールストレージに記憶された送付ルールの各々は、前記サービスに関連したメッセージを前記サービスの各送信参加者から前記サービスの各受信参加者へ送付することを表わす動作（Ｓ６２）、前記サービスの前記第１の参加者からメッセージを受け取り、前記メッセージは、前記サービス及び前記サービスの前記第１の参加者を表わす動作（Ｓ６３）、前記送付ルールに基づき前記サービスの前記第２の参加者へ前記メッセージを送付すべきかどうか判断する動作（Ｓ６４）、及び前記判断の結果が肯定であるときに前記メッセージを前記サービスの前記第２の参加者へ送付する動作（Ｓ６５）を含む。
【００５７】
図２は、本発明の規範的実施形態による装置のブロック図である。特に、図２は、図１に示す装置の変形例を示す。従って、図２の装置は、更に、比較回路２１、決定回路２２、除去回路２３、及びチェック回路２４を備えている。
【００５８】
一実施形態において、図１（又は図２）に示す装置の機能の少なくとも幾つかは、１つの動作エンティティを形成する２つ（以上）の物理的に個別のデバイス間に共有される。それ故、装置は、ここに述べるプロセスの少なくとも幾つかを実行するための１つ以上の物理的に個別のデバイスを備えた動作エンティティを示すことが明らかである。
【００５９】
この点に関し、（送付ルールに従って）送付されるメッセージに関するサービスの送信参加者は、各メッセージの送信者を意味することに注意されたい。更に、（送付ルールに従って）送付されるメッセージに関するサービスの受信参加者は、各メッセージの受信者を意味する。即ち、サービスの各参加者は、ある送付ルールでは送信参加者（即ち、メッセージの潜在的な送信者）であり、そして更に、別の送付ルールでは受信参加者（即ち、メッセージの潜在的な受信者）である。
【００６０】
即ち、送付ルール“Ｉ”により、（例えば、デバイス“Ａ”のＩＰアドレスにより識別された）デバイス“Ａ”からの特定のサービス“Ｘ”に関するメッセージが、（例えば、デバイス“Ｂ”のＩＰアドレスにより識別された）デバイス“Ｂ”へ送付されるべきであると定義される場合には、デバイス“Ａ”が送信参加者であり、一方、デバイス“Ｂ”が受信参加者である（送付ルール“Ｉ”に対して）。更に、送付ルール“II”により、デバイス“Ｂ”からの特定のサービス“Ｘ”に関するメッセージがデバイス“Ａ”へ送付されるべきであると定義される場合には、デバイス“Ｂ”が送信参加者であり、一方、デバイス“Ａ”が受信参加者である（送付ルール“II”に対して）。
【００６１】
本発明の規範的実施形態による図６に示す手順の変形例によれば、前記ルールストレージに記憶された前記送付ルールの各々は、前記サービスに属することを表わすサービス識別子を含む。
【００６２】
図６に示す手順の変形例によれば、判断動作（Ｓ６４）の規範的詳細が与えられ、それらは、本来、互いに独立している。
【００６３】
本発明の規範的実施形態によるそのような規範的判断動作（Ｓ６４）は、前記メッセージを前記ルールストレージに記憶された前記送付ルールと比較する動作を含む。
【００６４】
本発明の規範的実施形態によるそのような規範的判断動作（Ｓ６４）は、更に、前記比較の結果として、前記ルールストレージに記憶された前記送付ルールのいずれかが前記サービス識別子に関して前記メッセージと一致し、そして前記第１の参加者が前記送信参加者を表わし且つ前記第２の参加者が前記受信参加者を表わす場合には、前記サービスの前記第２の参加者へ前記メッセージを送付すると決定する動作、及び／又は前記比較の結果として、前記ルールストレージに記憶された前記送付ルールのいずれかが前記サービス識別子に関して前記メッセージと一致し、そして前記第１の参加者が前記送信参加者を表わさず、且つ前記ルールストレージに記憶された前記送付ルールがいずれも前記サービス識別子に関して前記メッセージと一致せず、そして前記第１の参加者が前記送信参加者を表わし且つ前記第２の参加者が前記受信参加者を表わす場合には、前記制御プレーンエンティティへ前記メッセージを送付すると決定する動作、を含む。
【００６５】
図６に示す手順の変形例によれば、本来、互いに独立した規範的な追加動作が与えられる。そのような変形例によれば、本発明の規範的実施形態による規範的方法は、前記制御プレーンエンティティから、除去されるべき前記サービスの少なくとも１つの参加者を識別する送付ルール除去インストラクションを受け取る動作、及び前記ルールストレージから、除去されるべき前記少なくとも１つの参加者に関連した送付ルールを除去する動作、を更に含む。
【００６６】
図６に示す手順の変形例によれば、本来、互いに独立した判断動作（Ｓ６４）の規範的詳細が与えられる。
【００６７】
本発明の規範的実施形態によるそのような規範的判断動作（Ｓ６４）は、前記受け取られたメッセージが以前に受け取った所定数のメッセージのいずれかの複写であるかどうかチェックする動作、及び前記チェックの結果として、前記メッセージが前記複写として識別される場合には、前記サービスの前記第２の参加者へ前記メッセージを送付すべきでないと決定する動作、を含む。
【００６８】
本発明の規範的実施形態による図６に示す手順の更に別の変形例によれば、前記送信参加者及び前記受信参加者の各々は、インターネットプロトコルアドレス及びメディアアクセス制御アドレスの少なくとも１つにより識別される。
【００６９】
図６に示す手順の更に別の変形例によれば、本来、互いに独立した規範的な追加動作が与えられる。そのような変形例によれば、本発明の規範的実施形態による規範的方法は、前記サービスに関連した複数の受け取ったメッセージの少なくとも一部分を前記制御プレーンエンティティへ送信する動作を含む。
【００７０】
本発明の規範的実施形態による図６に示す手順の更に別の変形例によれば、前記モバイルデバイス間情報交換サービスは、乗物対Ｘ通信サービス、混雑におけるブロードバンドアクセスのサービス、及びモバイルゲームアプリケーションに関連したサービスのうちの１つである。
【００７１】
本発明の規範的実施形態による図６に示す手順の更に別の変形例によれば、前記メッセージは、協力／協働アウェアネスメッセージ及び分散型環境通知メッセージである。
【００７２】
本発明の規範的実施形態による図６に示す手順の更に別の変形例によれば、前記モバイルデバイス間情報交換サービスは、特定のポート、好ましくは、基本的なトランスポートプロトコルポート、により指示される。
【００７３】
本発明の規範的実施形態による図６に示す手順の更に別の変形例によれば、前記送付ルールは、ＯｐｅｎＦｌｏｗ  ＦｌｏｗＭｏｄメッセージ、インターナショナルテレグラフユニオンテレコミュニケーションスタンダージエーションセクター（ＩＴＵ−Ｔ）ゲートウェイコントロールプロトコルＨ．２４８、制御及びユーザプレーン分離（ＣＵＰ）Ｓｘインターフェイス、方針及び課金ルール機能（ＰＣＲＦ）Ｒｘインターフェイス、ＰＣＲＦ  Ｇｘインターフェイス、及びモバイルエッジコンピューティング（ＭＥＣ）Ｍｐ２基準点のうちの１つを経て搬送される。
【００７４】
本発明の規範的実施形態による図６に示す手順の更に別の変形例によれば、前記サービスの前記各送信参加者及び前記サービスの前記各受信参加者のいずれかは、前記ルールストレージに記憶された前記サービス送付ルールにおいてワイルドカードにより指示される。この点に関して、ワイルドカード（例えば、“*”）は、例えば、前記サービスの全ての既知の参加者又は前記サービスの全ての既知の参加者のグループを扱う。
【００７５】
本発明の規範的実施形態による図６に示す手順の更に別の変形例によれば、前記メッセージは、更に、前記サービスに関連したサービングステーションによってサービスされるサービスエリアに関する情報、前記サービングステーションのステーション識別子、及び前記サービスへの前記メッセージの所属を表わすサービス識別子、の少なくとも１つを含む。
【００７６】
図３は、本発明の規範的実施形態による装置のブロック図である。この装置は、維持回路３１、生成回路３２及び送信回路３３を備えた制御プレーンエンティティ３０である。維持回路３１は、サービスエリアにおける前記サービスの複数の参加者に関する情報を維持する。生成回路３２は、前記サービスに関連したメッセージを、前記サービスエリアにおける前記サービスの前記複数の参加者に関する前記情報に基づいて、前記複数の参加者の送信参加者から、前記複数の参加者の受信参加者へ送付することを表わす送付ルールを生成する。送信回路３３は、前記送付ルールを前記サービスのユーザプレーンエンティティへ送信し、前記ユーザプレーンエンティティは、前記制御プレーンエンティティと前記サービスの第１の参加者との間の接続路、及び前記制御プレーンエンティティと前記サービスの第２の参加者との間の接続路に配置される。図７は、本発明の規範的実施形態による手順の概略図である。図３の装置は、図７の方法を遂行するが、この方法に限定されない。図７の方法は、図３の装置により遂行されるが、この装置により遂行されることに限定されない。
【００７７】
図７に示すように、本発明の規範的実施形態による手順は、モバイルデバイス間情報交換サービスの管理機能をホストする前記サービスの制御プレーンエンティティにより、サービスエリアにおける前記サービスの複数の参加者に関する情報を維持する動作（Ｓ７１）、前記サービスに関連したメッセージを、前記サービスエリアにおける前記サービスの前記複数の参加者に関する前記情報に基づいて、前記複数の参加者の送信参加者から、前記複数の参加者の受信参加者へ送付することを表わす送付ルールを生成する動作（Ｓ７２）、及び前記送付ルールを前記サービスのユーザプレーンエンティティへ送信し、前記ユーザプレーンエンティティは、前記制御プレーンエンティティと前記サービスの前記第１の参加者との間の接続路、及び前記制御プレーンエンティティと前記サービスの前記第２の参加者との間の接続路に配置されるものである動作（Ｓ７３）、を含む。
【００７８】
図４は、本発明の規範的実施形態による装置のブロック図である。特に、図４は、図３に示す装置の変形例を示す。従って、図４の装置は、更に、受信回路４１、生成回路４２、チェック回路４３、加算回路４４、及び監視回路４５を備えている。
【００７９】
一実施形態において、図３（又は図４）に示す装置の機能の少なくとも幾つかは、１つの動作エンティティを形成する２つ（以上）の物理的に個別のデバイス間に共有される。それ故、装置は、ここに述べるプロセスの少なくとも幾つかを実行するための１つ以上の物理的に個別のデバイスを備えた動作エンティティを示すことが明らかである。
【００８０】
図７に示す手順の変形例によれば、本来、互いに独立した規範的な追加動作が与えられる。そのような変形例によれば、本発明の規範的実施形態による規範的方法は、前記サービスに新たな参加者を登録するための登録メッセージ、又は前記サービスから現在参加者を登録解除するための登録解除メッセージを受け取る動作を更に含む。
【００８１】
図７に示す手順の変形例によれば、本来、互いに独立した生成動作（Ｓ７２）及び規範的追加動作の規範的詳細が与えられる。
【００８２】
即ち、前記登録メッセージが受け取られる場合には、本発明の規範的実施形態によるそのような規範的生成動作（Ｓ７２）は、前記新たな参加者を前記送信参加者とすることに基づいて前記サービスに関連したメッセージを送付することを表わす少なくとも１つの送付ルール、及び前記新たな参加者を前記受信参加者とすることに基づいて前記サービスに関連したメッセージを送付することを表わす少なくとも１つの送付ルールを生成する動作を含む。
【００８３】
好ましくは、前記新たな参加者を前記送信参加者とする場合には、この送信参加者に対して、その送信参加者により送信される全てのメッセージを、より好ましくは、その送信参加者が接続されるＰＧＷ−Ｕにより、他の全ての古い／第２の（既に存在する）参加者に対して増殖すべきであるという送付ルールが生成される。好ましくは、それとは別に、その場合、この送信参加者に対して、その送信参加者により送信される全てのメッセージを、他の古い／受信（既に存在する）参加者の各々に対して増殖するという他の古い／受信参加者当たり１つの送付ルールが生成される。
【００８４】
更に、好ましくは、前記新たな参加者を前記受信参加者とする場合には、各古い／送信参加者のいずれかにより送信されるいずれかのメッセージを、より好ましくは、その古い／送信（既に存在する）参加者が接続されるＰＧＷ−Ｕにおいて、新たな／受信参加者へ複写すべきであるというルールが各古い／送信（既に存在する）参加者について生成される。
【００８５】
従って、好ましくは、本発明の規範的実施形態によれば、新たな参加者により送信されるメッセージのための送付ルール、及び古い（既に存在する）参加者により送信されるメッセージのためのルールが生成される。
【００８６】
更に、前記登録解除メッセージが受け取られる場合には、本発明の規範的実施形態による規範的方法は、更に、少なくとも前記現在参加者を識別しそして前記現在参加者に関連した送付ルールを除去するインストラクションを表わす送付ルール除去インストラクションを前記ユーザプレーンエンティティへ送信する動作を含む。
【００８７】
好ましくは、前記送付ルール除去インストラクションは、現在参加者に関連した全ての送付ルールを除去するインストラクション、即ち去る参加者のためのルール、及び去る参加者／エリアを去った参加者に対してメッセージを増殖することはもはや必要でないので（去る参加者に関連した）古い／留まる参加者のためのルールも除去するインストラクションを表わす。
【００８８】
図７に示す手順の変形例によれば、本来互いに独立した規範的追加動作が与えられる。そのような変形例によれば、本発明の規範的実施形態による規範的方法は、前記ユーザプレーンエンティティから、前記メッセージの起点を表わす前記サービスに関連したメッセージを受け取る動作、及び前記メッセージの前記起点が、前記サービスエリアにおける前記サービスの前記複数の参加者に関する前記情報のエントリに対応するかどうかチェックする動作を含む。
【００８９】
前記チェックの結果として、前記メッセージの前記起点が、前記サービスエリアにおける前記サービスの前記複数の参加者に関する前記情報のエントリに対応しない場合には、図７に示す手順の変形例により、前記生成動作（Ｓ７２）、及び本来互いに独立した規範的追加動作の規範的詳細が与えられる。
【００９０】
即ち、そのような変形例によれば、本発明の規範的実施形態による規範的方法は、前記メッセージの前記起点に対応する新たなエントリを、前記サービスエリアにおける前記サービスの前記複数の参加者に関する前記情報に追加する動作を含み、及び本発明の規範的実施形態によるそのような規範的生成動作（Ｓ７２）は、前記新たなエントリを前記送信参加者とすることに基づいて前記サービスに関連したメッセージを送付することを表わす少なくとも１つの送付ルール、及び前記新たなエントリを前記受信参加者とすることに基づいて前記サービスに関連したメッセージを送付することを表わす少なくとも１つの送付ルールを生成する動作を含む。
【００９１】
この点に関して、メッセージの起点は、メッセージのオリジナル送信者、即ち各メッセージを発行するネットワーク要素（参加者）を意味することに注意されたい。
【００９２】
図７に示す手順の更に別の変形例によれば、本来、互いに独立した規範的な追加動作が与えられる。そのような変形例によれば、本発明の規範的実施形態による規範的方法は、前記サービスエリアにおける前記サービスの前記複数の参加者に関する前記情報のエントリごとに、前記エントリから発信される前記サービスに関連した最後に受け取ったメッセージからの経過時間を監視する動作を含む。
【００９３】
前記時間が所定時間を越える場合には、本発明の規範的実施形態による前記規範的方法は、更に、少なくとも前記エントリを識別しそして前記エントリに関連した送付ルールを除去するためのインストラクションを表わす送付ルール除去インストラクションを前記ユーザプレーンエンティティへ送付する動作を含む。
【００９４】
図５は、本発明の規範的実施形態による装置のブロック図である。この装置は、例えば、ユーザプレーンエンティティと制御プレーンエンティティとの間に配置される中間ネットワークエンティティ（中間ノード）５０である。本発明の規範的実施形態によれば、複数のそのような中間ネットワークエンティティ５０がユーザプレーンエンティティと制御プレーンエンティティとの間に配置される。図５の装置は、受信回路５１及び送信回路５２を備えている。受信回路５１は、モバイルデバイス間情報交換サービスの管理機能をホストする前記サービスの制御プレーンエンティティから、前記サービスに関連した第１のメッセージを受け取り、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含む。送信回路５２は、前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信し、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含む。
【００９５】
図５の装置は、図８の方法を遂行するが、この方法に限定されない。図８の方法は、図５の装置により遂行されるが、この装置による遂行に限定されない。
【００９６】
図８に示すように、本発明の規範的実施形態による手順は、モバイルデバイス間情報交換サービスの管理機能をホストする前記サービスの制御プレーンエンティティから、前記サービスに関連した第１のメッセージを受け取り、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含むものである動作（Ｓ８１）、及び前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信し、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである動作（Ｓ８２）を含む。
【００９７】
一実施形態において、図５に示す装置の機能の少なくとも幾つかは、１つの動作エンティティを形成する２つ（以上）の物理的に個別のデバイス間に共有される。それ故、装置は、ここに述べるプロセスの少なくとも幾つかを実行するための１つ以上の物理的に個別のデバイスを備えた動作エンティティを示すことが明らかである。
【００９８】
図５に示す装置に関してより具体的に述べると、特に、Ｖ２Ｘをサービスとする場合に関連して、第１及び第２のメッセージは、前記サービスに関連したサービングステーションによりサービスされるエリアに関する前記情報としてＶ２Ｘサーバーを、前記サービングステーションの前記ステーション識別子としてステーションＩＤを、前記参加者識別子として参加者のＩＰアドレスを、及び／又は前記サービス識別子としてＣＡＭ／ＤＥＮＭ識別子を含む。
【００９９】
これらの情報エレメントは、新たなパラメータを経て、又はユーザプレーンと制御プレーンとの間の透過的コンテナにより、明確に搬送され、そしてその逆のことも言える。
【０１００】
従って、図５に示す装置は、ＰＣＲＦ及び／又はＭＥＣにより実施されるが、第１及び第２のメッセージは、（ＰＣＲＦ）Ｒｘ及び／又はＧｘインターフェイスを経て（例えば、図１６を参照）、（ＭＥＣ）Ｍｐ２インターフェイスを経て（例えば、図１７を参照）、及び／又はＯｐｅｎＦｌｏｗインターフェイスを経て、受信及び／又は送信される。
【０１０１】
しかしながら、本発明は、この具体的な例に限定されないことに注意されたい。
【０１０２】
より特定な言い方をすると、本発明の規範的実施形態によれば、Ｖ２Ｘアプリケーション（現在は一体化された制御及びユーザプレーン機能としてＭＥＣ／ＲＡＣＳの最上部に配置される）が制御プレーン及びユーザプレーンに分離される。
【０１０３】
特に、本発明の規範的実施形態によれば、制御プレーンは、より集中型のデータセンターにあるサーバーに配置され、一方、ユーザプレーンは、ＰＧＷのユーザプレーンにおいてホストされて（一体化又は分離されて）、制御プレーンＶ２ＸサーバーアプリケーションがＣＡＭ／ＤＥＮＭ（メッセージ）の評価をＶ２Ｘユーザプレーンに命令するようにする。
【０１０４】
一例として、本発明の規範的実施形態によれば、Ｖ２Ｘサーバーアプリケーションの制御プレーン部分は、（単に全てのペイロードをＶ２Ｘサーバーアプリケーションへ送付するのではなく）例えば、ＣＡＭを識別しそしてＣＡＭを他のＶ２Ｘ参加者へ送付することを、ソフトウェア定義のネットワーキング（ＳＤＮ）手段を経て、例えば、ＰＧＷのユーザプレーンに命令する。
【０１０５】
図１４は、本発明の規範的実施形態によりホストされるアプリケーションを伴う規範的シナリオを示す概略図である。
【０１０６】
特に、図１４は、本発明の規範的実施形態によりＶ２Ｘアプリケーションを制御プレーン（Ｃ−プレーン、ＣＰ）及びユーザプレーン（Ｕ−プレーン、ＵＰ）へ分割したものを示す。
【０１０７】
それにより、ＣＡＭは、それらを周囲の車へ配布するためにネットワークレベルに保持され、それらを常にサーバーアプリケーションへ送信して返送し、そしてその後にのみ、周囲の車へ送信するのではない。その場合に、本発明の規範的実施形態によれば、ＭＥＣプラットホームは、ソフトウェア定義ネットワーキング（ＳＤＮ）能力で改善される。
【０１０８】
その場合に、クラウド／データセンターＭＥＣ／ＲＡＣＳのアプリケーションレイヤにおいて余計な処理時間は必要とされない。これは、Ｖ２ＸサーバーアプリケーションのＣＰを、より集中型のスマートデータセンターに対して、ｅＮＢから更に離れて配置できることについて費やされる貴重な計算時間を節約する。従って、例えば、ソフトウェア処理時間をあまり必要とせず、これは、より遠いデータセンターを許し、スケール効果の経済性のために非常に低廉となる。
【０１０９】
即ち、本発明の実施がないと、全てのＣＡＭ及びＤＥＮＭをＶ２Ｘサーバーアプリケーションまでアップしそして再びダウンして他の車に通知しなければならないので、プロトコルスタック及び物理的送付装置をアップ及びダウンする帯域巾及び時間が消費される。
【０１１０】
図１５は、本発明の規範的実施形態による規範的Ｖ２Ｖシナリオを示す概略図であり、特に、Ｖ２Ｘ接続を伴う整合型操縦を示す。
【０１１１】
図１５によれば、車は、異なるＲＡＮに接続され、ハンドオーバーが可能である。図１５に示された車は、ＣＡＭ及びＤＥＮＭを頻繁に送信する。
【０１１２】
図１５に示されたように、各車は、ある新たなエリア（例えば、Ｖ２Ｘサービスに関するサービスエリア）に入ると、Ｖ２Ｘサーバーアプリケーションに登録され、そして登録成功の後に、ＣＡＭ及びＤＥＮＭの送信を適宜スタートする。
【０１１３】
本発明の規範的実施形態によれば、Ｖ２Ｘアプリケーション制御プレーン（制御プレーンエンティティ）は、登録された各車を知っているので、Ｖ２Ｘアプリケーション制御プレーンは、好ましくは、４ＧアーキテクチャーのＰＧＷ−Ｕ（これに限定されない）又は５Ｇアーキテクチャーの対応ＧＷ−Ｕに配置されたユーザプレーンに（好ましくは、Ｖ２Ｘ制御プレーンが存在するクラウドの外側で）、少なくとも、ソースＩＰアドレス及びポート、並びに上述した仕様書ＥＴＳＩ  ＥＮ３０２  ６３６−５−１に指定されたＣＡＭ及びＤＥＮＭメッセージのポートを評価することにより、登録されたいずれかの車から受け取られたパケットに一致するようになるよう命令する。
【０１１４】
一致が生じる場合、本発明の規範的実施形態によれば、（一致する）パケット（即ち、メッセージ）が、少なくとも、制御プレーンからユーザプレーンへシグナルダウンされた全てのＩＰアドレス（当該車に対応する）へ送付され（ＳＤＮを経てＶ２Ｘ制御プレーンアプリケーションにより命令されたように）、ＣＡＭ及びＤＥＮＭ（ＣＡＭ及びＤＥＮＭメッセージ）を当該車へ効率的に直接送付する。
【０１１５】
本発明の規範的実施形態によれば、更に、車から見たトラフィックの状況に関してＶ２Ｘアプリケーションの更新を許すために、ＣＡＭ／ＤＥＮＭメッセージの幾つか又は全部がＶ２Ｘアプリケーションの制御プレーンへ送付される。このように、Ｖ２Ｘサーバーアプリケーションは、依然、更なる考慮のために乗物の情報を評価し且つそれに作用することができる。その場合、一方では、ＣＡＭ及びＤＥＮＭが参加者の車へ非常に高速で且つ直接的に効率的に送付されるが、Ｖ２Ｘも通知される。
【０１１６】
従って、図１５に示す矢印から引き出されるように、ＣＡＭ及びＤＥＮＭは、アプリケーションに向かう１台の車により送信されるが（破線矢印）、Ｖ２Ｘ制御プレーンアプリケーションにより命令されるようにＶ２Ｘユーザプレーンにより参加者の車へ方向を変えられる（一点鎖線矢印）。制御アプリケーションへ送られる対応メッセージは、図１５には示されていないが、本発明では除外されず、上述したように効果的である。
【０１１７】
新たな車（新たな参加者）がＶ２Ｘ制御プレーンアプリケーションの責任（即ち、責任エリア、サービングエリア）を入力する場合には、本発明の規範的実施形態によれば、ＢＴＰヘッダのレイアウトを受信パケットと一致させそして効率的に複写して、迅速処理のために付近の車（エリアにおける他の参加者）の全てのＶ２Ｘアプリケーションへ非常に高速で送信できるように、ＯｐｅｎＦｌｏｗメッセージ“Ａｄｄ  Ｆｌｏｗ  Ｍｏｄ”が変更される。
【０１１８】
特定の車（現在参加者）がエリアを去る場合には、本発明の規範的実施形態によれば、Ｖ２Ｘ制御プレーンアプリケーションは、ＣＡＭ及びＤＥＮＭを複写すべき参加者のリストから対応アドレスを除去することをユーザプレーンアプリケーションに命令する。
【０１１９】
本発明の更に別の規範的実施形態によれば、各車からＤＥＮＭ及びＣＡＭ（アップリンクメッセージ）の一部分だけが隣接する参加者の車へ送付される。各発信メッセージに対する複写を識別できるようにするために、ユーザプレーン（エンティティ）は、制御プレーン（エンティティ）により、複写が受け取られた後にそれが隣接する車へ送付されるかどうかチェックするよう命令される。例えば、ユーザプレーンは、受け取ったパケット（メッセージ）のコンテンツに対してハッシュアルゴリズムを遂行し、そしてそのハッシュ結果を記憶する。次の、例えば、１０個（この数に限定されない）のパケットを受け取ると（例えば、カウンタが１０にセットされる）、ユーザプレーンは、再び、パケットを受け取るたびに同じハッシュアルゴリズムを遂行し、そしてそれを最後に記憶されたハッシュ結果と比較する。結果が相違しない場合には、受け取ったパケットが送付されず、カウンタ（例えば、１０でスタートした）がデクリメントされる。しかしながら、結果が相違する場合には、新たなパケット（メッセージ）が複写でないと識別され、新たな結果が記憶され、カウンタが１０にセットされ、そしてメッセージが送付される。
【０１２０】
即ち、本発明の規範的実施形態は、一般的に、ＭＥＣ（又はそれに対応する）アプリケーションが全てのトラフィックを苦にすることを望まないという考え方に基づいている。従って、既に述べたように、本発明によれば、各々の考えられるＭＥＣアプリケーション（Ｖ２Ｘアプリケーションだけではない）は、潜在的に、ＳＤＮインターフェイスを経てどの種類のトラフィックに関心があるか通告することができる。
【０１２１】
その意味で、ここに述べるＶ２Ｘアプリケーションは、１つの例に過ぎないが、Ｖ２Ｘアプリケーションは、特定トラフィックの同じ部分を受け取ることに依然関心がある。特に、Ｖ２Ｘアプリケーションは、判断ロジックのために参加者の車のＣＡＭ／ＤＥＮＭについて通知されることを依然希望する。例えば、Ｖ２Ｘサーバーアプリケーションは、どこで衝突が起きるか又は起きたか検出して、例えば、事故の場所を救急隊に通告できるためにＣＡＭを受け取ることに依然関心がある一方、ネットワーク内で参加者の車へ瞬時にＣＡＭを依然配布して、それらを車へ送付する前のＶ２Ｘアプリケーションレイヤにおける処理のためにそれらを遅延することがないようにすることができる。
【０１２２】
従って、より一般的な解決策として、本発明の規範的実施形態は、ＭＥＣに関する既存の解決策では基礎的なトラフィックにオール・オア・ナシングの原理しか適用されないことに鑑み、特定トラフィックのいずれかのトラフィックをアプリケーションまで送信しないより一般的なメカニズムに対しても使用することができる（例えば、ｅＮＢでホストされるアプリケーションの規範的シナリオ、及び特に、トラフィックが常にＭＥＣプラットホームまで送付されることになるトラフィックオフロードタイプを示す図１２を参照されたい）。
【０１２３】
本発明の規範的実施形態の変形例において、Ｖ２Ｘ通信は、モバイルネットワークを全く伴わずに車と車の間で直接的に行われてもよい。
【０１２４】
本発明の規範的実施形態によれば、Ｖ２Ｘアプリケーションが制御プレーンとユーザプレーンに分離されるため、ペイロードの処理時間が著しく短縮され、そしてＶ２ＸサーバーアプリケーションをｅＮＢ（ＲＡＮ）から離れてより中心に配置することが許される。従って、規範的実施形態は、Ｖ２ＸアプリケーションがｅＮＢに接近して配置される解決策に比してコスト効率が高い。
【０１２５】
本発明の更に別の規範的実施形態によれば、Ｖ２Ｘアプリケーションの制御プレーンは、ＰＣＥＦ／ＰＧＷ（潜在的に分離した制御プレーン（ＰＧＷ−Ｃ）及びユーザプレーン（ＰＧＷ−Ｕ）へも分解される）は、それに対応するＣＡＭ及びＤＥＮＭを検出して多数の行先へ複写／送付することが方針課金及びルール機能（ＰＣＲＦ）を経て命令される。
【０１２６】
図１６は、本発明の規範的実施形態による規範的な方針及び課金制御ロジックアーキテクチャーを示す概略図である。特に、図１６によれば、サブスクリプションプロフィールレポジトリー（ＳＰＲ）が使用されるときの変形ロジックアーキテクチャーが示されている。
【０１２７】
本発明の規範的実施形態によれば、Ｖ２Ｘ制御プレーンアプリケーション、ＰＣＲＦ、及びＰＣＥＦ制御プレーンは、同じクラウドに配置され、一方、ＰＣＥＦユーザプレーンは、クラウドの外部に存在する。
【０１２８】
上述したように、乗物対乗物通信アプリケーションは、本発明の規範的実施形態にとって好ましい実施シナリオである。
【０１２９】
しかしながら、本発明の規範的実施形態は、更に別のサービス及びアプリケーションにも適用できる。
【０１３０】
例えば、ゲームアプリケーション及び「混雑におけるブロードバンドアクセス」は、更に別の実施形態と考えられる。
【０１３１】
即ち、本発明の更に別の規範的実施形態によれば、ゲームアプリケーションレイヤは、ユーザプレーントラフィックが必ずしもゲームサーバーアプリケーションまで送信されないように適宜分離される。従って、貴重な時間を節約して、例えば、ゲーマーの経験を高めることができる。
【０１３２】
以上の説明では、ＯｐｅｎＦｌｏｗがＳＤＮプロトコルとして述べられたが、それに限定されると理解してはならない。例えば、ＩＥＴＦ  ＦｏｒＣｅｓ（送付及び制御要素の分離）を使用してもよい。
【０１３３】
本発明の規範的実施形態によれば、一般的に、ＭＥＣアプリケーションは、ユーザプレーンと制御プレーンに適宜分割することができる。更に、本発明の規範的実施形態によれば、Ｖ２Ｘアプリケーションの制御プレーンは、ｅＮＢサイトにあり、Ｖ２Ｘアプリケーションの制御プレーンが例えばクラウドに配置される場合にも、この位置から、分散されたＶ２Ｘユーザプレーンが制御される。
【０１３４】
本発明の規範的実施形態によれば、Ｖ２Ｘアプリケーションが制御プレーンとユーザプレーンに分離されるので、Ｖ２Ｘサーバーアプリケーションの制御プレーン部分は、より集中型のデータセンターに配置されるが、Ｖ２Ｘサーバーアプリケーションのユーザプレーン部分は、車対車（Ｖ２Ｖ、Ｖ２Ｘ）通信の起点に、より接近して配置することができる。
【０１３５】
このユーザプレーンは、Ｖ２Ｘ車対車通信をサーバーまで送付する必要はないが（そうしてもよいが）、それを車（１つ又は複数）に直接送付するので、ユーザプレーン遅延を最小にすることができる。換言すれば、本発明の規範的実施形態によれば、車対車通信の全遅延が減少されるが、Ｖ２Ｘサーバーアプリケーションに当該情報を依然通知することができる。更に、本発明による解決策は、３ＧＰＰの５Ｇ環境に充分適合し、ここでは、好ましくは、Ｖ２Ｘサーバーアプリケーションのユーザプレーン部分を４Ｇ／５ＧのＰＣＥＦ−Ｕ／ＰＧＷ−Ｕにも配置することにより、ユーザプレーンの柔軟な配置の更なる効果を取り入れるために、ユーザプレーン及び制御プレーンの分離がＣＵＰＳ（制御及びユーザプレーンの分離、４Ｇ）及びＮｅｘＧｅｎ（５Ｇ）において扱われる。
【０１３６】
本発明の規範的実施形態によれば、一般的に、ＦｏｒＣｅｓ及びＯｐｅｎＦｌｏｗプロトコルは、いずれのアプリケーションも、特定アプリケーショントラフィックの送付をアプリケーションまで完全に又は部分的に抑制できるように変更される。従って、Ｖ２Ｘアプリケーション、ゲームアプリケーション、「混雑におけるブロードバンドアクセス」アプリケーション、及び一般的に、ＭＥＣプラットホームに存在するＭＥＣアプリケーションは、全トラフィックについて完全に通知されることを要求してもしなくてもよく、この要求は、これらアプリケーションのいずれかについて本発明の規範的実施形態により各々満足することができる。
【０１３７】
より特定に述べると、本発明の規範的実施形態によれば、ＳＤＮにより既存のＶ２Ｘアプリケーション制御プレーン及びユーザプレーン部分の分離を実施するための少なくとも３つのオプションが考えられる。
【０１３８】
第１のオプション（直接的）によれば、Ｖ２Ｘ制御プレーンアプリケーションは、分散型クラウド／ｅＮＢサイトに配置され、そしてトランスポートレイヤにおいてＶ２Ｘユーザプレーンにアクセスすることができる（５Ｇ環境ではＰＧＷ−Ｕ、ＢＲＡＳ、ＰＧＷ−Ｕの後継物の内側（ＴＣＯを不必要に増加しないために好ましい）又は外側）。
【０１３９】
第２のオプション（ＭＥＣベース）によれば、Ｖ２Ｘ制御プレーンアプリケーションは、分散型クラウドに配置され、そしてＭＥＣプラットホーム（ＳＤＮ  ＡＰＩをサポートするようにイネーブルされた）を経てトランスポートレイヤにおいてＶ２Ｘユーザプレーンにアクセスすることができる（ＰＧＷ−Ｕ、ＢＲＡＳ、ＰＧＷ−Ｕの後継物の内側又は外側）。
【０１４０】
第３のオプション（ＰＣＲＦベース）によれば、Ｖ２Ｘ制御プレーンアプリケーションは、分散型クラウドに配置され、そしてＰＣＲＦ（ＳＤＮ  ＡＰＩをサポートするようにイネーブルされた）を経て及び／又はＰＧＷ−Ｃを経てトランスポートレイヤにおいてＶ２Ｘユーザプレーンにアクセスすることができる（ＰＧＷ−Ｕ、ＢＲＡＳ、ＰＧＷ−Ｕの後継物の内側）。
【０１４１】
本発明の規範的実施形態による３つ全部のオプションによれば、特定のＶ２Ｘ制御シグナリングがＶ２Ｘアプリケーション制御部分に着信し、これは、サービスロジックにより評価される。この評価の結果に基づき、新たなＳＤＮシグナリングがＶ２Ｘアプリケーションのユーザプレーン部分へ送信されるべくトリガーされる。Ｖ２Ｘアプリケーションのユーザプレーン部分は、新たなインストラクションを受け取り、そして例えば、Ｖ２Ｘアプリケーションに関連したユーザプレーンパケットに新たなルールを適用する。他の中間エンティティ（ＭＥＣプラットホーム及びＰＣＲＦのような）は、少なくとも、Ｖ２Ｘ制御プレーンアプリケーション及びＶ２Ｘユーザプレーンからの／へのシグナリングに対して透過的である必要があり、及びその逆のことも言える。
【０１４２】
以下のテーブルは、ＤＥＮＭ及びＣＡＭメッセージのためのプロトコルスタックを表わす。
2019533341.tif 000004
【０１４３】
ここで、ＥＮ３０２  ６３７−２は、ステーションの識別子、及びＣＡＭに対する基本的コンテナ（付録Ａ）における基準位置を定義するものである。
【０１４４】
以下、本発明の規範的実施形態による第１のオプションの手順は、ＣＡＭシナリオについて説明する。
【０１４５】
この点に関して、ＤＥＮＭ（並びに信号位相及びタイミング（ＳＰＡＴ）、乗物内情報（ＩＶＩ）、及びＭＡＰ（トポロジー的マップデータ、例えば、交通信号の付近の地理的表現を意味する））についても同様の手順が考えられることに注意されたい。
【０１４６】
第１のオプションによれば、例えば、ＰＧＷ−Ｕに（直接）（或いはＰＣＲＦ又はＭＥＣを経て）アタッチされたＳＤＮコントローラの最上部に載せられるＶ２Ｘ制御プレーンアプリケーションは、ＩＰの最上部にあるＵＤＰ／ＴＣＰの最上部のＢＴＰプロトコルにおける第１に発生するＣＡＭパケットを、ＳＤＮコントローラを経てＶ２Ｘ制御アプリケーションへ送付することを、例えば、ＯｐｅｎＦｌｏｗを経てＰＧＷ−Ｕに命令する。未知のパケット（ユーザプレーンにはインスタンス生成されたルールがまだない）は、コントローラが新たなイベント／情報に基づいてユーザプレーンに命令できるようにコントローラに通知されねばならない。そのような発生は、対応する新たな車がこのＶ２Ｘ制御アプリケーションに今すぐに入るときに、Ｖ２Ｘメッセージが交換されていないことを意味する。
【０１４７】
サーバーアプリケーションへ送られるパケットの数を制限するため、制御プレーンエンティティは、新たなＩＰアドレスからのパケットしか送信されず、これは、同時に、ＢＴＰプロトコル及び／又はＣＡＭメッセージもペイロードとして搬送するように、ユーザプレーンエンティティにおいてルールを事前に構成することができる。それに対応する新たなマッチングルールがＯｐｅｎＦｌｏｗプロトコルにおいてイネーブルされる。
【０１４８】
それ故、この新たな乗物、そのＩＰアドレス及びステーションＩＤは、Ｖ２Ｘアプリケーションにまだ知られていないが、ＯｐｅｎＦｌｏｗプロトコルの“パケット・イン・メッセージ(Packet IN message)”がＳＤＮ制御プレーンエンティティに通知し、これが、Ｖ２Ｘアプリケーションに知らせる。
【０１４９】
Ｖ２Ｘ制御プレーンアプリケーションは、“パケット・イン・メッセージ”を検査し、そしてＩＰ／ＴＣＰ／ＵＤＰレイヤからのこの新たな乗物のＩＰ／ポートアドレスＢ及びステーションＩＤ並びにＢＴＰ／ＣＡＭレイヤからの基準位置を検索する。
【０１５０】
このアプリケーション（制御プレーン）は、ＩＰ／ポートアドレス、ステーションＩＤ、及びこのＣＡＭメッセージが有効であるところの当該責任エリアに対する基準位置（即ち、地理的位置）についてそのデータベース（外部又は内部）にエントリを生成する。ＥＴＳＩ  ＥＮ３０２  ６３６−４−１によれば、最大の地理的面積は、１０ｋｍ2までである（直径約３．５ｋｍの円に対応する）。本発明の実施形態を具現化するＶ２Ｘ制御プレーンアプリケーションは、ｅＮＢから約４０ｋｍから８０ｋｍ離れることが予想されるので、本発明の実施形態を具現化するＶ２Ｘ制御プレーンアプリケーションは、約５００の地理的エリアまで責任をもつことになる。
【０１５１】
これは、本発明の規範的実施形態によるＶ２Ｘ制御プレーンアプリケーションが、ある責任エリア（サービスエリア）内の全ての車を記憶しそして知ることを意味する。
【０１５２】
この知識に基づき、Ｖ２Ｘ制御プレーンアプリケーションは、このエリアに他の車があるかどうかチェックする。もしあれば、このアプリケーションは、ノースバウンド(Northbound)インターフェイスを経てＳＤＮコントローラに次のことを行うよう命令する。
ａ）ＯｐｅｎＦｌｏｗ“Ｆｌｏｗ  Ｍｏｄ”メッセージをそれに対応するＰＧＷ−Ｕへ送信して、ＣＡＭを、例えば、ＩＰアドレスＡ、ＩＰアドレスＣ及びＩＰアドレスＤから新たな乗物ＢのＩＰアドレスへ送付ように（更に）命令することにより、他の乗物から送られた全てのＣＡＭメッセージを新たに到着する乗物Ｂへ送付し、及び
ｂ）ＯｐｅｎＦｌｏｗ“Ｆｌｏｗ  Ｍｏｄ”メッセージをそれに対応するＰＧＷ−Ｕへ送信して、ＣＡＭメッセージを、例えば、ＩＰアドレスＢからＩＰアドレスＣ並びに他の乗物のＩＰアドレスＤ及びＡへ送付ように（更に）命令することにより、乗物Ｂから送られた全てのＣＡＭメッセージを他の全ての乗物へ送付する。
【０１５３】
それとは別に、本発明の更に別の規範的実施形態によれば、そのアプリケーションは、（責任／サービスの）エリアに入る各乗物の明確な登録を経て通知される。
【０１５４】
車が責任エリアを去る場合には、Ｖ２Ｘアプリケーションがデータベースのエントリを除去する。
【０１５５】
そのアプリケーションは、特定の車／乗物／参加者（個人／歩行者／トラック、等でもよい）がＣＡＭ／ＤＥＮＭをそれ以上送信しないことを確認する。
【０１５６】
ここでは、ユーザプレーンエンティティが、それに対応するメッセージを、責任／関連エリア内の参加者へ複写し及び送付するように命令される他に、本発明の規範的実施形態によれば、ユーザプレーンエンティティは、制御プレーンエンティティが（当該エリアに入ったり出たりする）参加者の状況について知らされるように制御プレーンエンティティへもメッセージを送信することが命令されることに注意されたい。
【０１５７】
交換されるシグナリングメッセージの数を制限するため、本発明の規範的実施形態によれば、制御プレーンエンティティは、実際に受信されるメッセージのある割合、例えば、メッセージの数の１／１０にメッセージを絞るようにユーザプレーンに命令する。
【０１５８】
それとは別に、本発明の更に別の規範的実施形態によれば、アプリケーション（制御プレーン）は、参加者の明確な登録及び／又は登録解除メッセージによって通知されてもよい。
【０１５９】
以下、本発明の実施形態の具体的な例及び各影響について説明する。
【０１６０】
Ｖ２Ｘアプリケーションの制御プレーン部分に対する影響：
Ｖ２Ｘ制御プレーンアプリケーションにおいてＶ２Ｘクライアント（例えば、車、歩行者）の登録或いはＣＡＭ又はＤＥＮＭメッセージを受け取ると、制御部分は、例えば、（車、トラック、歩行者、等を識別する）ステーション識別子、メッセージＩＤ、（当該エリアを識別する）基準位置、及びＩＰアドレス（又は、例えば、レイヤ２のスイッチングが別のプロトコル及び／又はアプリケーションに使用される場合にはＭＡＣアドレス）を抽出し、そして“Ｆｌｏｗ  Ｍｏｄ”メッセージを新たな情報エレメントと共に責任エリア内の参加者のユーザプレーンへ送信してＣＡＭメッセージを複写／増殖することを、例えば、ＯｐｅｎＦｌｏｗ部分に命令する。例えば、Ｖ２Ｘアプリケーションは、新たな車がどのエリア内を走行しているかチェックし、そして参加者のステーションＩＤ及びＩＰアドレス等をデータベースから検索し、そしてそれに対応するＰＧＷ−Ｕに命令する準備をする。
【０１６１】
全アプリケーションのＶ２Ｘ制御プレーンまでＣＡＭ／ＤＥＮＭを完全に送信するのではなく、Ｖ２Ｘアプリケーションは、ステーションＩＤ、メッセージタイプ、基準位置、並びにＩＰポート／アドレス及び／又はＭＡＣアドレスだけを単に抽出して、それらを新たな“パケット・イン(Packet-IN)”又はＯｐｅｎＦｌｏｗ“通知(Notification)”まで送信するようにユーザプレーンに命令する。
【０１６２】
規範的なＯｐｅｎＦｌｏｗ“Ｆｌｏｗ  Ｍｏｄ”は、次のように構成される。
ＯｐｅｎＦｌｏｗ  Ｆｌｏｗ  Ｍｏｄ
メッセージＩＤ：ｍｅｓｓａｇｅＩＤ  ＩＮＴＥＧＥＲ  ｃａｍ(2)、
ステーション識別子：ＳｔａｔｉｏｎＩＤ：：＝ＩＮＴＥＧＥＲ(0..4294967295)
それと共に
−既知のＩＰアドレス／ポート及び各発信ステーションのＭＡＣアドレス
−既知のＩＰアドレス／ポート及び新たな参加者ステーションのＭＡＣアドレス
【０１６３】
同様に、制御プレーンは、遠隔の参加者によって送られるＣＡＭの送付を許すために、ＯｐｅｎＦｌｏｗ“Ｆｌｏｗ  Ｍｏｄ”メッセージを新たな車／歩行者（新たな参加者）のユーザプレーンへ送信する。
【０１６４】
更に、ＯｐｅｎＦｌｏｗ“Ｆｌｏｗ  Ｍｏｄ”メッセージは、新たな参加者の責任を負うユーザプレーンへ送信され、既に参加している他のステーションへＣＡＭを送付するように命令する。
【０１６５】
別のアプリケーションの制御プレーンエンティティは、コントローラまでメッセージを送信しないようにユーザプレーンに命令し、そしてメッセージをトランスポートレベルに保持して、単にユーザプレーンにパケットをそれらの行先へ送付させることを希望することに注意されたい。更に、そのアプリケーションは、パケット／メッセージを複写しないようにユーザプレーンに命令しなくてもよい。
【０１６６】
ＰＧＷ−Ｕ（又はＳＧＷ−Ｕ又は５Ｇ−Ｕ又はＢＲＡＳ−Ｕ）に対する影響／Ｖ２Ｘアプリケーションユーザプレーン部分に対する影響：
ユーザプレーンにおいて（車、トラック、歩行者等を識別する）新たな情報エレメントステーション識別子、メッセージＩＤ、及びＩＰアドレス（ＭＡＣアドレス等）を受け取ると、ユーザプレーンは、参加者ステーションのＣＡＭが新たな参加者に対して複写されるように送付ルールを次のようにインストールする。
ＯｐｅｎＦｌｏｗ  Ｆｌｏｗ  Ｍｏｄ
メッセージＩＤ：ｍｅｓｓａｇｅＩＤ  ＩＮＴＥＧＥＲ  ｃａｍ(2)、
ステーション識別子：ＳｔａｔｉｏｎＩＤ：：＝ＩＮＴＥＧＥＲ(0..4294967295)
それと共に
−既知のＩＰアドレス／ポート及び発信ステーションのＭＡＣアドレス、及び
−既知のＩＰアドレス／ポート及び新たな参加者ステーションのＭＡＣアドレス
【０１６７】
同様に、新たな参加者のユーザプレーンは、新たな参加者のＣＡＭメッセージを既知の参加者ステーションへ送付し／複写する。
【０１６８】
ステーションＩＤは、例えば、当該プロトコル、例えば、ＩＭＳＩ、ＩＭＥＩ等における特定のステーション又はユーザを識別できる他のＩＤと置き換えてもよいことに注意されたい。
【０１６９】
更に、基準位置は、例えば、特定の地理的位置を表わすパラメータの一例で、例えば、そのような能力を伴う他のＩＤ／パラメータ、例えば、ＣｅｌｌＩＤ、都市名、等と置き換えてもよいことに注意されたい。
【０１７０】
ＭＥＣに対する影響：
Ｖ２ＸアプリケーションがＭＥＣプラットホームの最上部に存在する場合には、本発明の規範的実施形態によれば、分離型Ｖ２Ｘ制御プレーンアプリケーションは、制御プレーンとユーザプレーンにも分割されるＭＥＣプラットホームを伴うアプリケーションとしてそれ自身登録することができる。そのため、ＭＥＣプラットホームは、ＯｐｅｎＦｌｏｗベースのアプリケーションの登録をサポートするように増加される。更に、ＭＥＣプラットホームは、ＳＤＮコントローラを合体するか又はＳＤＮコントローラをアプリケーションとして登録するのを許す。しかし、ＳＤＮコントローラの実施に関わらず、Ｖ２Ｘ制御アプリケーションは、（一体化又は非一体化）ＳＤＮコントローラに登録される。
【０１７１】
更に、Ｖ２Ｘユーザプレーン部分（例えば、ＰＧＷ−Ｕ）は、例えば、ＯｐｅｎＦｌｏｗを経てＭＥＣプラットホーム内又はその外部のＳＤＮコントローラに登録される。好ましくは、ＰＧＷ−Ｕは、トランスポートネットワークに配置され、そしてＭＥＣプラットホームが存在するクラウド内には存在しない。例えば、Ｍｐ２インターフェイスは、更に（本発明の規範的実施形態によるモバイルエッジコンピューティングシステムを示す概略図である）図１７に示された「データプレーン」が、好ましくは、モバイルエッジホスト内ではなくトランスポートネットワークに配置されるＳｏｕｔｈｂｏｕｎｄ／ＯｐｅｎＦｌｏｗプロトコルである。
【０１７２】
例えば、本発明の規範的実施形態によれば、ＭＥＣは、“ＨＥＬＬＯ，Ｐａｃｋｅｔ＿ＩＮ”メッセージ及び／又は“Ｐａｃｋｅｔ−ＯＵＴ”及び“Ｆｌｏｗ  Ｍｏｄ”メッセージのようなＯｐｅｎＦｌｏｗメッセージを、少なくとも前記情報エレメントと共に、ユーザプレーン部分と制御プレーン部分との間で受信及び送信する。同様に、途切れることのないインターワーキングを与えるために、Ｒｘ及びＧｘインターフェイス（両方ともＤＩＡＭＥＴＥＲに基づく）もサポートされる。
【０１７３】
ＰＣＲＦに対する影響：
Ｖ２ＸアプリケーションがＲｘインターフェイスを経てＰＣＲＦの最上部に存在する場合には、Ｒｘ及びＧｘ（両方ともＤＩＡＭＥＴＥＲに基づく）並びにＰＣＲＦは、少なくとも前記ＯｐｅｎＦｌｏｗプロトコルに対する新たな情報エレメント（例えば、ＣＡＭ、ステーションＩＤ、ＩＰポート／アドレス、ＭＡＣ、等）で増加される。更に、ＰＣＲＦは、新たな情報エレメントをＲｘインターフェイスからＧｘインターフェイスを経てＰＧＷ−Ｃ部分へ（又はＰＧＷユーザプレーン部分へ直接）送付し、及びＧｘインターフェイスからＲｘインターフェイスを経てＰＧＷ−Ｃ部分から（又はＰＧＷユーザプレーン部分へ直接）Ｖ２Ｘアプリケーション制御プレーン部分へ送付する。
【０１７４】
本発明の規範的実施形態によれば、ＰＣＲＦは、Ｒｘを経て新たなＶ２Ｘアプリケーションに連絡し／それに登録されるように管理され、これは、例えば、インストールされるべきルールをユーザプレーン部分へダウン方向に送信し、そして登録メッセージ又はＤＥＮＭ／ＣＡＭメッセージ又はその部分をＶ２Ｘアプリケーションへアップ方向に送信することを含む。
【０１７５】
ＰＧＷは、ユーザプレーン部分と制御プレーン部分に分離されてもよいし、されなくてもよいことに注意されたい。しかしながら、Ｖ２Ｘ及びＰＣＲＦの観点から、これは、Ｒｘ及びＧｘインターフェイスが必要な情報エレメントを搬送できる限り、問題ではない。
【０１７６】
ＰＧＷ−Ｃに対する影響：
Ｖ２Ｘアプリケーションが、ＰＧＷ−Ｃを経、Ｇｘインターフェイスを経てＰＣＲＦの最上部に存在する場合には、Ｇｘ及びＰＧＷ−ＣのＳｏｕｔｈｂｏｕｎｄインターフェイス／ＯｐｅｎＦｌｏｗは、少なくとも、前記ＯｐｅｎＦｌｏｗプロトコル（例えば、エリア（地理的位置）、ＣＡＭ、ステーションＩＤ、ＩＰポート／アドレス、ＭＡＣ、等）の新たな情報エレメントで増加される。更に、ＰＧＷ−Ｃは、新たな情報エレメントをＧｘインターフェイスからＯｐｅｎＦｌｏｗインターフェイスを経てＰＧＷ−Ｕ部分へ送付する。ＰＧＷ−ＣからＯｐｅｎＦｌｏｗインターフェイスで受け取られたメッセージは、Ｇｘインターフェイスを経てＰＣＲＦへ送付される。
【０１７７】
これは、例えば、インストールされるべきルールをＶ２Ｘユーザプレーン部分へダウン方向に送信しそして登録メッセージ又はＤＥＮＭ／ＣＡＭメッセージ又はその部分をＰＣＲＦへアップ方向に送信することを含む。
【０１７８】
ＰＧＷは、ユーザプレーン部分と制御プレーン部分とに分離されてもよいし、されなくてもよいことに注意されたい。しかしながら、Ｖ２Ｘ及びＰＣＲＦの観点から、これは、Ｒｘ及びＧｘインターフェイスが必要な情報エレメントを搬送できる限り問題ではない。
【０１７９】
本発明の規範的実施形態によれば、ＰＧＷ−Ｃは、ＰＣＲＦを経て新たなＶ２Ｘアプリケーションに連絡し／それに登録し／それと協議するように管理される。これは、ＰＧＷ−Ｃ及びＰＣＲＦがＶ２Ｘアプリケーションに登録できることを意味する。
【０１８０】
以上の説明では、ＯｐｅｎＦｌｏｗが、一例として、制御プレーンとユーザプレーンとの間のインターフェイスとして使用されたが、それとは別に、その目的で、例えば、ＦｏｒＣｅｓ  ＧＴＰ−Ｃプロトコル又はＤｉａｍｅｔｅｒプロトコルが使用されてもよい。
【０１８１】
以上に述べた手順及び機能は、各機能的要素、プロセッサ、等により、以下に述べるように実施されてもよい。
【０１８２】
ネットワークエンティティの以上の規範的説明では、本発明の原理を理解するため該当するユニットだけが、機能的ブロックを使用して説明された。ネットワークエンティティは、各動作に必要な更に別のユニットを備えてもよい。しかしながら、それらユニットの説明は、ここでは省略する。装置の機能的ブロックの構成は、本発明を限定するものと解釈されず、そしてそれらの機能は、１つのブロックにより遂行されてもよいし、又はサブブロックへと更に分割されてもよい。
【０１８３】
以上の説明において、装置、即ちネットワーク要素／エンティティ（又は何らかの他の手段）が何らかの機能を遂行するよう構成されると述べられたときには、１つの（即ち、少なくとも１つの）プロセッサ又はそれに対応する回路が、潜在的に、各装置のメモリに記憶されたコンピュータプログラムコードとの協働で、少なくともそのように述べられた機能を装置に遂行させるよう構成されると述べる記載と同等であると解釈されたい。又、そのような機能は、各機能を遂行するために特別に構成された回路又は手段により同等に実施可能であると解釈されるべきである（即ち、「・・・のように構成されたユニット」という表現は、「・・・のための手段」という表現と同等であると解釈されるべきである）。
【０１８４】
図１８において、本発明の規範的実施形態による装置の別の図が示されている。図１８に示すように、本発明の規範的実施形態によれば、装置（ユーザプレーンエンティティ）１０’（ユーザプレーンエンティティ１０に対応する）は、プロセッサ１８１、メモリ１８２、及びインターフェイス１８３を備え、これらは、バス１８４等により接続される。更に、本発明の規範的実施形態によれば、装置（制御プレーンエンティティ）３０’（制御プレーンエンティティ３０に対応する）は、プロセッサ１８５、メモリ１８６、及びインターフェイス１８７を備え、これらは、バス１８８等により接続される。更に、本発明の規範的実施形態によれば、装置（中間ネットワークエンティティ）５０’（中間ネットワークエンティティ５０に対応する）は、プロセッサ１９１、メモリ１９２、及びインターフェイス１９３を備え、これらは、バス１９４等により接続され、そしてこれらの装置は、リンク１８９を経て各々接続される。
【０１８５】
又、プロセッサ１８１／１８５／１９１及び／又はインターフェイス１８３／１８７／１９３は、（ハードワイヤ又はワイヤレス）リンクを経ての通信を容易にするためにモデム等も備えている。インターフェイス１８３／１８７／１９３は、リンク又は接続されたデバイスとの（ハードワイヤ又はワイヤレス）通信のために１つ以上のアンテナ又は通信手段に各々結合された適当なトランシーバを備えている。インターフェイス１８３／１８７／１９３は、一般的に、少なくとも１つの他の装置、即ちそのインターフェイスと通信するように構成される。
【０１８６】
メモリ１８２／１８６／１９２は、各プロセッサにより実行されたときに、各電子デバイス又は装置が本発明の規範的実施形態に従って動作できるようにするプログラムインストラクション又はコンピュータプログラムコードを含むと仮定された各プログラムを記憶する。
【０１８７】
一般的に述べると、各デバイス／装置（及び／又はその一部分）は、各動作を遂行し、及び／又は各機能を示すための手段を表わし、及び／又は各デバイス（及び／又はその一部分）は、各動作を遂行し、及び／又は各機能を示すための機能を有する。
【０１８８】
以下の説明において、プロセッサ（又は何らかの他の手段）が何らかの機能を遂行するように構成されると述べられたときには、少なくとも１つのプロセッサが、潜在的に、各装置のメモリに記憶されたコンピュータプログラムコードとの協働で、少なくともそのように述べられた機能を装置に遂行させるよう構成されると述べる記載と同等であると解釈されたい。又、そのような機能は、各機能を遂行するために特別に構成された手段により同等に実施可能であると解釈されるべきである（即ち、「ｘｘｘ−ｉｎｇを「装置」に遂行させるよう構成されたプロセッサ」という表現は、「ｘｘｘ−ｉｎｇのための手段」という表現と同等であると解釈されるべきである）。
【０１８９】
本発明の規範的実施形態によれば、ユーザプレーンエンティティ１０を表わす装置は、少なくとも１つのプロセッサ１８１、コンピュータプログラムコードを含む少なくとも１つのメモリ１８２、及び少なくとも別の装置と通信するように構成された少なくとも１つのインターフェイス１８３を備えている。プロセッサ（即ち、少なくとも１つのメモリ１８２及びコンピュータプログラムコードを伴う少なくとも１つのプロセッサ１８１）は、（モバイルデバイス間情報交換サービスのユーザプレーンエンティティにより）前記サービスの管理機能をホストする前記サービスの制御プレーンエンティティから、前記サービスに関連したメッセージを前記サービスの参加者間に送付するための送付ルールを受け取ることを遂行し、前記ユーザプレーンエンティティは、前記制御プレーンエンティティと前記サービスの第１の参加者との間の接続路、及び前記制御プレーンエンティティと前記サービスの第２の参加者との間の接続路に配置され（従って、装置は、受け取りのための対応手段を備え）、前記送付ルールをルールストレージに記憶することを遂行し、前記ルールストレージに記憶された送付ルールの各々は、前記サービスに関連したメッセージを前記サービスの各送信参加者から前記サービスの各受信参加者へ送付することを表わし（従って、装置は、記憶のための対応手段を備え）、前記サービスの前記第１の参加者からメッセージを受け取ることを遂行し、前記メッセージは、前記サービス及び前記サービスの前記第１の参加者を表わし、前記送付ルールに基づいて前記サービスの前記第２の参加者へ前記メッセージを送付すべきかどうか判断することを遂行し（従って、装置は、判断のための対応手段を備え）、及び前記判断の結果が肯定であるときに前記メッセージを前記サービスの前記第２の参加者へ送付することを遂行する（従って、装置は、送付のための対応手段を備え）、ように構成される。
【０１９０】
ユーザプレーンエンティティ１０を表わす装置は、更に、比較手段、決定手段、除去手段、及び／又はチェック手段を備えている。
【０１９１】
更に、本発明の規範的実施形態によれば、制御プレーンエンティティ３０を表わす装置は、少なくとも１つのプロセッサ１８５、コンピュータプログラムコードを含む少なくとも１つのメモリ１８６、及び少なくとも別の装置と通信するように構成された少なくとも１つのインターフェイス１８７を備えている。プロセッサ（即ち、少なくとも１つのメモリ１８６及びコンピュータプログラムコードを伴う少なくとも１つのプロセッサ１８５）は、（モバイルデバイス間情報交換サービスの管理機能をホストする前記サービスの制御プレーンエンティティにより）サービスエリアにおける前記サービスの複数の参加者に関する情報を維持することを遂行し（従って、装置は、維持のための対応手段を備え）、前記サービスに関連したメッセージを、前記サービスエリアにおける前記サービスの前記複数の参加者に関する前記情報に基づいて、前記複数の参加者の送信参加者から、前記複数の参加者の受信参加者へ送付することを表わす送付ルールを生成することを遂行し（従って、装置は、生成のための対応手段を備え）、及び前記送付ルールを前記サービスのユーザプレーンエンティティへ送信することを遂行し、前記ユーザプレーンエンティティは、前記制御プレーンエンティティと前記サービスの第１の参加者との間の接続路、及び前記制御プレーンエンティティと前記サービスの第２の参加者との間の接続路に配置される（従って、装置は、送信のための対応手段を備え）、ように構成される。
【０１９２】
制御プレーンエンティティ３０を表わす装置は、更に、受信手段、生成手段、チェック手段、追加手段、及び／又は監視手段を備えている。
【０１９３】
更に、本発明の規範的実施形態によれば、中間ネットワークエンティティ５０を表わす装置は、少なくとも１つのプロセッサ１９１、コンピュータプログラムコードを含む少なくとも１つのメモリ１９２、及び少なくとも別の装置と通信するように構成された少なくとも１つのインターフェイス１９３を備えている。プロセッサ（即ち、少なくとも１つのメモリ１９２及びコンピュータプログラムコードを伴う少なくとも１つのプロセッサ１９１）は、モバイルデバイス間情報交換サービスの管理機能をホストする前記サービスの制御プレーンエンティティから、前記サービスに関連した第１のメッセージを受信することを遂行し、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含み（従って、装置は、受信のための対応手段を備え）、及び前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信することを遂行し、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含む（従って、装置は、送信のための対応手段を備え）、ように構成される。
【０１９４】
個々の装置の動作／機能に関する更なる詳細については、図１ないし１７のいずれかに各々関連した前記説明を参照されたい。
【０１９５】
上述した本発明の目的については、次のことに注意されたい。
−おそらくソフトウェアコード部分として実施されそしてネットワークサーバー又はネットワークエンティティ（例えば、デバイス、装置及び／又はそのモジュール、或いは例えば、装置及び／又はそのモジュールを含むエンティティ）においてプロセッサを使用して実行される方法ステップは、ソフトウェアコード独立であり、そしてその方法ステップにより定義される機能が保存される限り、既知の又は将来開発されるプログラミング言語を使用して特定することができる。
【０１９６】
−一般的に、方法ステップは、実施される機能に関して実施形態及びその変形例の考え方を変更せずにソフトウェアとして又はハードウェアにより実施されるのに適している。
【０１９７】
−おそらく前記装置のハードウェアコンポーネント又はそのモジュールとして実施される方法ステップ及び／又はデバイス、ユニット又は手段（例えば、上述した実施形態による装置の機能を実施するデバイス）は、ハードウェア独立であり、そして既知の又は将来開発されるハードウェア技術又はそれらの混成体、例えば、ＭＯＳ（金属酸化物半導体）、ＣＭＯＳ（相補的ＭＯＳ）、ＢｉＭＯＳ（バイポーラＭＯＳ）、ＢｉＣＭＯＳ（バイポーラＣＭＯＳ）、ＥＣＬ（エミッタ結合ロジック）、ＴＴＬ（トランジスタ・トランジスタロジック）、等を使用して、又、例えば、ＡＳＩＣ（特定用途向けＩＣ（集積回路））コンポーネント、ＦＰＧＡ（フィールドプログラマブルゲートアレイ）コンポーネント、ＣＰＬＤ（コンプレックスプログラマブルロジックデバイス）コンポーネント、又はＤＳＰ（デジタル信号プロセッサ）コンポーネントを使用して、実施することができる。
【０１９８】
−デバイス、ユニット又は手段（例えば、前記ネットワークエンティティ又はネットワークレジスタ或いはそれら各ユニット／手段のいずれか１つ）は、個々のデバイス、ユニットまたは手段として実施できるが、これは、そのデバイス、ユニット又は手段の機能が保存される限り、システム全体を通して分散型形態で実施されることを除外するものではない。
【０１９９】
−ユーザ装置及びネットワークエンティティ／ネットワークレジスタのような装置は、半導体チップ、チップセット、又はそのようなチップ及びチップセットより成る（ハードウェア）モジュールにより表わされるが、これは、装置又はモジュールの機能が、ハードウェア実施されるものではなく、コンピュータ上で実行／ランされる実行可能なソフトウェアコード部分を含むコンピュータプログラム又はコンピュータプログラム製品のような（ソフトウェア）モジュールにおいてソフトウェアとして実施される可能性を除外するものではない。
【０２００】
−デバイスは、例えば、互いに機能的に協働するか、或いは互いに機能的に独立するが同じデバイスハウジング内にあるかに関わらず、装置として、又は２つ以上の装置のアッセンブルとしてみなされてもよい。
【０２０１】
一般的に、前記観点による各機能的ブロック又は要素は、各部分のここに述べた機能を遂行するだけである場合には、ハードウェア及び／又はソフトウェアのいずれかにおいて既知の手段により実施できることに注意されたい。前記方法ステップは、個々の機能的ブロックにおいて又は個々のデバイスにより実現することができ、又は１つ以上の方法ステップを単一の機能的ブロックにおいて又は単一のデバイスにより実現することができる。
【０２０２】
一般的に、方法ステップは、本発明の考え方を変更せずに、ソフトウェアとして又はハードウェアにより実施されるのが適当である。デバイス及び手段は、個々のデバイスとして実施できるが、これは、デバイスの機能が保存される限り、システム全体を通して分散形態で実施されることを除外するものではない。そのような及び同様の原理が、当業者に知られていると考えられる。
【０２０３】
ソフトウェアとは、ここでの説明の意味では、各機能を遂行するためのコード手段又は部分或いはコンピュータプログラム又はコンピュータプログラム製品を含むようなソフトウェアコード、並びに各データ構造体又はコード手段／部分が記憶されたコンピュータ読み取り可能な（ストレージ）媒体のような有形媒体で実施されるか、又は潜在的に処理中に信号又はチップで実施されるソフトウェア（或いはコンピュータプログラム又はコンピュータプログラム製品）を含む。
【０２０４】
又、本発明は、方法的及び構造的構成の前記概念が適用できる限り、上述した方法ステップ及び動作の考えられる組み合わせ、及び上述したノード、装置、モジュール又は要素の考えられる組み合わせも網羅する。
【０２０５】
以上に鑑み、モバイル低レイテンシーサービスを効率的及び動的にサポートするための手段が提供される。そのような手段は、規範的に、モバイルデバイス間情報交換サービスのユーザプレーンエンティティにより、前記サービスの管理機能をホストする前記サービスの制御プレーンエンティティから、前記サービスに関連したメッセージを前記サービスの参加者間に送付するための送付ルールを受け取り、前記ユーザプレーンエンティティは、前記制御プレーンエンティティと前記サービスの第１の参加者との間の接続路、及び前記制御プレーンエンティティと前記サービスの第２の参加者との間の接続路に配置され、前記送付ルールをルールストレージに記憶し、前記ルールストレージに記憶された送付ルールの各々は、前記サービスに関連したメッセージを前記サービスの各送信参加者から前記サービスの各受信参加者へ送付することを表わし、前記サービスの前記第１の参加者からメッセージを受け取り、前記メッセージは、前記サービス及び前記サービスの前記第１の参加者を表わし、前記送付ルールに基づいて前記サービスの前記第２の参加者へ前記メッセージを送付すべきかどうか判断し、及び前記判断の結果が肯定であるときに前記メッセージを前記サービスの前記第２の参加者へ送付する、ことを含む。
【０２０６】
更に別の観点によれば、前記規範的な実施形態は、例えば、上述した部分「Ｖ２Ｘアプリケーション制御プレース部分に対する影響」、特に、「ＯｐｅｎＦｌｏｗ  Ｆｌｏｗ  Ｍｏｄ」に関連して、次のこと、即ち前記第１の参加者のＩＰアドレス、及びそのＩＰアドレスとは異なるメッセージＩＤを使用することによりメッセージを識別し、そして前記メッセージＩＤ及び前記第１の参加者の前記ＩＰアドレスに基づき前記送付ルールを適用して、前記メッセージを前記第２の参加者へ送付すること、が行われる処理に関するものである。
【０２０７】
更に別の観点によれば、前記規範的な実施形態は、例えば、Ｖ２Ｘアプリケーションに関連した前記部分に関連して、次のこと、即ち第１の参加者からデータパケットを受け取り、前記データパケットは、前記メッセージを含むものであり、前記受け取ったデータパケットのペイロードに含まれたメッセージ識別に基づいて前記メッセージのタイプを識別し、及び前記メッセージの前記識別されたタイプに基づいて送付ルールを選択する、ことが行われる処理に関するものである。
【０２０８】
添付図面に従う例を参照して本発明を以上に述べたが、本発明は、これに限定されないことを理解されたい。むしろ、当業者であれば、ここに開示する本発明の考え方から逸脱せずに、本発明を多数の仕方で変更できることが明らかであろう。
【０２０９】
頭字語及び略語のリスト
３ＧＰＰ：第３世代パートナーシッププロジェクト
ＡＦ：アプリケーション機能
ＢＴＰ：基本的トランスポートプロトコル
Ｃ−ＩＴＳ：協働インテリジェントトランスポートシステム
ＣＡＭ：協力アウェアネスメッセージ
ＣＰ：制御プレーン、Ｃ−プレーン
Ｄ２Ｄ：デバイス対デバイス
ＤＥＮＭ：分散型環境通知メッセージ
ｅＮＢ：進化型ＮｏｄｅＢ、ｅＮｏｄｅＢ
ＩＥＴＦ：インターネットエンジニアリングタスクフォース
ＩＴＳ：インテリジェントトランスポートシステム
ＩＶＩ：乗物内情報
ＦｏｒＣｅｓ：送付及び制御要素分離
ＬＴＥ：長期進化
ＭＥＣ：モバイルエッジコンピューティング
ＰＣＥＦ：方針及び課金実施機能
ＰＣＲＦ：方針課金及びルール機能
ＰＧＷ：パケットデータネットワークゲートウェイ、ＰＤＮ−ＧＷ
ＰｒｏＳｅ：接近サービス
ＲＡＣＳ：無線アプリケーションクラウドサーバー
ＲＡＮ：無線アクセスネットワーク
ＳＤＮ：ソフトウェア定義ネットワーキング
ＳＰＡＴ：信号位相及びタイミング
ＳＰＲ：サブスクリプションプロフィールレポジトリー
ＴＣＯ：総保有コスト
ＵＥ：ユーザ装置
ＵＰ：ユーザプレーン、Ｕ−プレーン
Ｖ２Ｖ：乗物対乗物
Ｖ２Ｘ：乗物対Ｘ
【符号の説明】
【０２１０】
１０、１０’：ユーザプレーンエンティティ
１１：受信回路
１２：記憶回路
１３：判断回路
１４：送付回路
２１：比較回路
２２：決定回路
２３：除去回路
２４：チェック回路
３０、３０’：制御プレーンエンティティ
３１：維持回路
３２：生成回路
３３：送信回路
４１：受信回路
４２：生成回路
４３：チェック回路
４４：加算回路
４５：監視回路
５０、５０’：中間ネットワークエンティティ
５１：受信回路
５２：送信回路
９１：乗物
９２：歩行者
９３：カーブした矢印
１０１：協働型インテリジェントトランスポートシステム（Ｃ−ＩＴＳ）
１０２、１０３：車
１８１：プロセッサ
１８２：メモリ
１８３インターフェイス
１８４：バス
１８５：プロセッサ
１８６：メモリ
１８７：インターフェイス
１８８：バス
１９１：プロセッサ
１９２：メモリ
１９３：インターフェイス
１９４：バス
１８９：リンク
【図１】
2019533341.tif 000005
【図２】
2019533341.tif 000006
【図３】
2019533341.tif 000007
【図４】
2019533341.tif 000008
【図５】
2019533341.tif 000009
【図６】
2019533341.tif 000010
【図７】
2019533341.tif 000011
【図８】
2019533341.tif 000012
【図９】
2019533341.tif 000013
【図１０】
2019533341.tif 000014
【図１１】
2019533341.tif 000015
【図１２】
2019533341.tif 000016
【図１３】
2019533341.tif 000017
【図１４】
2019533341.tif 000018
【図１５】
2019533341.tif 000019
【図１６】
2019533341.tif 000020
【図１７】
2019533341.tif 000021
【図１８】
2019533341.tif 000022
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
モバイルデバイス間情報交換サービスのユーザプレーンエンティティにより、前記サービスの管理機能をホストする前記サービスの制御プレーンエンティティから、前記サービスに関連したメッセージを前記サービスの参加者間に送付するための送付ルールを受け取り、前記ユーザプレーンエンティティは、前記制御プレーンエンティティと前記サービスの第１の参加者との間の接続路、及び前記制御プレーンエンティティと前記サービスの第２の参加者との間の接続路に配置され、
前記送付ルールをルールストレージに記憶し、前記ルールストレージに記憶された送付ルールの各々は、前記サービスに関連したメッセージを前記サービスの各送信参加者から前記サービスの各受信参加者へ送付することを表わし、前記ルールストレージに記憶された前記送付ルールの各々は、前記サービスへの所属を表わすサービス識別子を含み、
前記サービスの前記第１の参加者からメッセージを受け取り、前記メッセージは、前記サービス及び前記サービスの前記第１の参加者を表わし、
前記送付ルールの前記サービス識別子に基づき前記サービスの前記第２の参加者へ前記メッセージを送付すべきかどうか判断し、及び
前記判断の結果が肯定であるときに前記メッセージを前記サービスの前記第２の参加者へ送付する、
ことを含む方法。
【請求項２】
前記判断することは、
前記メッセージを前記ルールストレージに記憶された前記送付ルールと比較し、及び
前記比較の結果として、前記ルールストレージに記憶された前記送付ルールのいずれかが前記サービス識別子に関して前記メッセージと一致し、そして前記第１の参加者が前記送信参加者を表わし且つ前記第２の参加者が前記受信参加者を表わす場合には、前記サービスの前記第２の参加者へ前記メッセージを送付すると決定し、及び／又は
前記比較の結果として、前記ルールストレージに記憶された前記送付ルールのいずれかが前記サービス識別子に関して前記メッセージと一致し、そして前記第１の参加者が前記送信参加者を表わさず、且つ前記ルールストレージに記憶された前記送付ルールがいずれも前記サービス識別子に関して前記メッセージと一致せず、そして前記第１の参加者が前記送信参加者を表わし且つ前記第２の参加者が前記受信参加者を表わす場合には、前記制御プレーンエンティティへ前記メッセージを送付すると決定する、
ことを含む、請求項１に記載の方法。
【請求項３】
前記制御プレーンエンティティから、除去されるべき前記サービスの少なくとも１つの参加者を識別する送付ルール除去インストラクションを受け取り、及び
前記ルールストレージから、除去されるべき前記少なくとも１つの参加者に関連した送付ルールを除去する、
ことを更に含む、請求項１又は２に記載の方法。
【請求項４】
前記判断することは、
前記受け取られたメッセージが以前に受け取った所定数のメッセージのいずれかの複写であるかどうかチェックし、及び
前記チェックの結果として、前記メッセージが前記複写として識別される場合には、前記サービスの前記第２の参加者へ前記メッセージを送付しないと決定する、
ことを含む、請求項１から３のいずれかに記載の方法。
【請求項５】
前記モバイルデバイス間情報交換サービスは、乗物対Ｘ通信サービス、混雑におけるブロードバンドアクセスのサービス、及びモバイルゲームアプリケーションに関連したサービスのうちの１つであり、及び／又は
前記メッセージは、協働アウェアネスメッセージ又は分散型環境通知メッセージであり、及び／又は
前記サービスは、特定のポートにより指示され、及び／又は
前記送付ルールは、ＯｐｅｎＦｌｏｗ  ＦｌｏｗＭｏｄメッセージ、インターナショナルテレグラフユニオンテレコミュニケーションスタンダージエーションセクターゲートウェイコントロールプロトコルＨ．２４８、制御及びユーザプレーン分離Ｓｘインターフェイス、方針及び課金ルール機能Ｒｘインターフェイス、方針及び課金ルール機能Ｇｘインターフェイス、及びモバイルエッジコンピューティングＭｐ２基準点のうちの１つを経て搬送され、及び／又は
前記サービスの前記各送信参加者及び前記サービスの前記各受信参加者のいずれかは、前記ルールストレージに記憶された前記サービス送付ルールにおいてワイルドカードにより指示され、及び／又は
前記メッセージは、更に、前記サービスに関連したサービングステーションによりサービスされるサービスエリア、前記サービングステーションのステーション識別子、及び前記サービスへの前記メッセージの所属を表わすサービス識別子に関する情報の少なくとも１つを含む、
請求項１から４のいずれかに記載の方法。
【請求項６】
前記第１の参加者のＩＰアドレス、及び前記ＩＰアドレスとは異なるメッセージ識別を使用することにより前記メッセージを識別し、及び
前記メッセージを前記第２の参加者へ送付するために前記メッセージ識別及び前記第１の参加者の前記ＩＰアドレスに基づいて前記送付ルールを適用する、
ことを更に含む、請求項１から５のいずれかに記載の方法。
【請求項７】
第１の参加者からデータパケットを受け取り、前記データパケットは、前記メッセージを含み、
前記受け取ったデータパケットのペイロードに含まれたメッセージ識別に基づいて前記メッセージのタイプを識別し、及び
前記メッセージの前記識別されたタイプに基づいて送付ルールを選択する、
ことを更に含む、請求項１から５のいずれかに記載の方法。
【請求項８】
モバイルデバイス間情報交換サービスの管理機能をホストする前記サービスの制御プレーンエンティティにより、サービスエリアにおける前記サービスの複数の参加者に関する情報を維持し、
前記サービスに関連したメッセージを、前記サービスエリアにおける前記サービスの前記複数の参加者に関する前記情報に基づいて、前記複数の参加者の送信参加者から、前記複数の参加者の受信参加者へ送付することを表わす送付ルールを生成し、前記送付ルールは、前記サービスへの所属を表わすサービス識別子を含み、及び
前記送付ルールを前記サービスのユーザプレーンエンティティへ送信し、前記ユーザプレーンエンティティは、前記制御プレーンエンティティと前記サービスの第１の参加者との間の接続路、及び前記制御プレーンエンティティと前記サービスの第２の参加者との間の接続路に配置される、
ことを含む方法。
【請求項９】
前記サービスに新たな参加者を登録するための登録メッセージ、又は前記サービスから現在参加者を登録解除するための登録解除メッセージを受け取り、
前記登録メッセージが受け取られる場合には、前記生成することは、
前記新たな参加者を前記送信参加者とすることに基づいて前記サービスに関連したメッセージを送付することを表わす少なくとも１つの送付ルール、及び前記新たな参加者を前記受信参加者とすることに基づいて前記サービスに関連したメッセージを送付することを表わす少なくとも１つの送付ルールを生成する、
ことを含み、及び
前記登録解除メッセージが受け取られる場合には、前記方法は、更に、
少なくとも前記現在参加者を識別しそして前記現在参加者に関連した送付ルールを除去するインストラクションを表わす送付ルール除去インストラクションを前記ユーザプレーンエンティティへ送信する、
ことを含む、請求項８に記載の方法。
【請求項１０】
前記ユーザプレーンエンティティから、前記メッセージの起点を表わす前記サービスに関連したメッセージを受け取り、及び
前記メッセージの前記起点が、前記サービスエリアにおける前記サービスの前記複数の参加者に関する前記情報のエントリに対応するかどうかチェックする、
ことを更に含み、及び
前記チェックの結果として、前記メッセージの前記起点が、前記サービスエリアにおける前記サービスの前記複数の参加者に関する前記情報のエントリに対応しない場合には、前記方法は、更に、前記メッセージの前記起点に対応する新たなエントリを、前記サービスエリアにおける前記サービスの前記複数の参加者に関する前記情報に追加することを含み、及び前記生成することは、
前記新たなエントリを前記送信参加者とすることに基づいて前記サービスに関連したメッセージを送付することを表わす少なくとも１つの送付ルール、及び前記新たなエントリを前記受信参加者とすることに基づいて前記サービスに関連したメッセージを送付することを表わす少なくとも１つの送付ルールを生成する、
ことを含む、請求項８又は９に記載の方法。
【請求項１１】
前記サービスエリアにおける前記サービスの前記複数の参加者に関する前記情報の各エントリに対し、前記エントリから発信される前記サービスに関連した前記最後に受け取られたメッセージからの経過時間を監視することを更に含み、
前記時間が所定時間を越える場合には、前記方法は、更に、
少なくとも前記エントリを識別しそして前記エントリに関連した送付ルールを除去するためのインストラクションを表わす送付ルール除去インストラクションを前記ユーザプレーンエンティティへ送付する、
ことを含む、請求項８から１０のいずれかに記載の方法。
【請求項１２】
前記モバイルデバイス間情報交換サービスは、乗物対Ｘ通信サービス、混雑におけるブロードバンドアクセスのサービス、及びモバイルゲームアプリケーションに関連したサービスのうちの１つであり、及び／又は
前記メッセージは、協働アウェアネスメッセージ又は分散型環境通知メッセージであり、及び／又は
前記サービスは、特定のポートにより指示され、及び／又は
前記送付ルールは、ＯｐｅｎＦｌｏｗ  ＦｌｏｗＭｏｄメッセージ、インターナショナルテレグラフユニオンテレコミュニケーションスタンダージエーションセクターゲートウェイコントロールプロトコルＨ．２４８、制御及びユーザプレーン分離Ｓｘインターフェイス、方針及び課金ルール機能Ｒｘインターフェイス、方針及び課金ルール機能Ｇｘインターフェイス、及びモバイルエッジコンピューティングＭｐ２基準点のうちの１つを経て搬送され、及び／又は
前記複数の参加者のうちの前記送信参加者及び前記複数の参加者のうちの前記受信参加者のいずれかは、前記送付ルールにおいてワイルドカードにより指示され、及び／又は
前記メッセージは、前記サービスに関連したサービングステーションによりサービスされるサービスエリア、前記サービングステーションのステーション識別子、及び前記サービスへの前記メッセージの所属を表わすサービス識別子に関する情報の少なくとも１つを含む、
請求項８から１１のいずれかに記載の方法。
【請求項１３】
モバイルデバイス間情報交換サービスの管理機能をホストする前記サービスの制御プレーンエンティティから、前記サービスに関連した第１のメッセージを受け取り、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含み、前記送付ルールは、前記サービスへの所属を表わすサービス識別子を含み、及び
前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信し、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである、方法。
【請求項１４】
モバイルデバイス間情報交換サービスのユーザプレーンエンティティの装置において、
前記サービスの管理機能をホストする前記サービスの制御プレーンエンティティから、前記サービスに関連したメッセージを前記サービスの参加者間に送付するための送付ルールを受け取るように構成された受信回路を備え、前記ユーザプレーンエンティティは、前記制御プレーンエンティティと前記サービスの第１の参加者との間の接続路、及び前記制御プレーンエンティティと前記サービスの第２の参加者との間の接続路に配置され、
前記送付ルールをルールストレージに記憶するように構成された記憶回路を更に備え、前記ルールストレージに記憶された送付ルールの各々は、前記サービスに関連したメッセージを前記サービスの各送信参加者から前記サービスの各受信参加者へ送付することを表わし、前記ルールストレージに記憶された前記送付ルールの各々は、前記サービスへの所属を表わすサービス識別子を含み、
前記受信回路は、更に、前記サービスの前記第１の参加者からメッセージを受け取るように構成され、前記メッセージは、前記サービス及び前記サービスの前記第１の参加者を表わし、並びに
前記送付ルールの前記サービス識別子に基づいて前記サービスの前記第２の参加者へ前記メッセージを送付すべきかどうか判断するように構成された判断回路、及び
前記判断の結果が肯定であるときに前記メッセージを前記サービスの前記第２の参加者へ送付するように構成された送付回路、
を更に備えた装置。
【請求項１５】
モバイルデバイス間情報交換サービスの管理機能をホストする前記サービスの制御プレーンエンティティの装置において、
サービスエリアにおける前記サービスの複数の参加者に関する情報を維持するように構成された維持回路、
前記サービスに関連したメッセージを、前記サービスエリアにおける前記サービスの前記複数の参加者に関する前記情報に基づき、前記複数の参加者の送信参加者から、前記複数の参加者の受信参加者へ送付することを表わす送付ルールを生成するように構成された生成回路であって、前記送付ルールが、前記サービスへの所属を表わすサービス識別子を含むような生成回路、及び
前記送付ルールを前記サービスのユーザプレーンエンティティへ送信するように構成された送信回路、
を備え、前記ユーザプレーンエンティティは、前記制御プレーンエンティティと前記サービスの前記第１の参加者との間の接続路、及び前記制御プレーンエンティティと前記サービスの前記第２の参加者との間の接続路に配置される、装置。
【請求項１６】
モバイルデバイス間情報交換サービスの管理機能をホストする前記サービスの制御プレーンエンティティから、前記サービスに関連した第１のメッセージを受け取るように構成された受信回路を備え、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含み、前記送付ルールは、前記サービスへの所属を表わすサービス識別子を含み、及び
前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信するように構成された送信回路を更に備え、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである、装置。
【請求項１７】
処理デバイスにより実行されたときに、
前記サービスの管理機能をホストする前記サービスの制御プレーンエンティティから、前記サービスに関連したメッセージを前記サービスの参加者間に送付するための送付ルールを受け取り、前記ユーザプレーンエンティティは、前記制御プレーンエンティティと前記サービスの第１の参加者との間の接続路、及び前記制御プレーンエンティティと前記サービスの第２の参加者との間の接続路に配置され、
前記送付ルールをルールストレージに記憶し、前記ルールストレージに記憶された送付ルールの各々は、前記サービスに関連したメッセージを前記サービスの各送信参加者から前記サービスの各受信参加者へ送付することを表わし、前記ルールストレージに記憶された前記送付ルールの各々は、前記サービスへの所属を表わすサービス識別子を含み、
前記サービスの前記第１の参加者からメッセージを受け取り、前記メッセージは、前記サービス及び前記サービスの前記第１の参加者を表わし、
前記送付ルールの前記サービス識別子に基づき前記サービスの前記第２の参加者へ前記メッセージを送付すべきかどうか判断し、及び
前記判断の結果が肯定であるときに前記メッセージを前記サービスの前記第２の参加者へ送付する、
ことを含む方法を遂行するインストラクションを記憶する非一時的コンピュータ読み取り可能な媒体。
【請求項１８】
処理デバイスにより実行されたときに、
モバイルデバイス間情報交換サービスの管理機能をホストする前記サービスの制御プレーンエンティティにより、サービスエリアにおける前記サービスの複数の参加者に関する情報を維持し、
前記サービスに関連したメッセージを、前記サービスエリアにおける前記サービスの前記複数の参加者に関する前記情報に基づいて、前記複数の参加者の送信参加者から、前記複数の参加者の受信参加者へ送付することを表わす送付ルールを生成し、前記送付ルールは、前記サービスへの所属を表わすサービス識別子を含み、及び
前記送付ルールを前記サービスのユーザプレーンエンティティへ送信し、前記ユーザプレーンエンティティは、前記制御プレーンエンティティと前記サービスの前記第１の参加者との間の接続路、及び前記制御プレーンエンティティと前記サービスの第２の参加者との間の接続路に配置される、
ことを含む方法を遂行するインストラクションを記憶する非一時的コンピュータ読み取り可能な媒体。
【請求項１９】
処理デバイスにより実行されたときに、
モバイルデバイス間情報交換サービスの管理機能をホストする前記サービスの制御プレーンエンティティから、前記サービスに関連した第１のメッセージを受け取り、前記第１のメッセージは、前記サービスに関連したメッセージを前記サービスの送信参加者から前記サービスの受信参加者へ送付することを表わす送付ルール、前記サービスに関連したサービングステーションによりサービスされるサービスエリアに関する情報、前記サービングステーションのステーション識別子、前記サービスの参加者の参加者識別子、及び前記第１のメッセージが前記サービスに属することを表わすサービス識別子、のうちの少なくとも１つを含むものであり、前記送付ルールは、前記サービスへの所属を表わすサービス識別子を含み、及び
前記サービスに関連した第２のメッセージを、前記制御プレーンエンティティと前記サービスの前記送信参加者との間の接続路、及び前記制御プレーンエンティティと前記サービスの前記受信参加者との間の接続路に配置された前記サービスのユーザプレーンエンティティへ送信し、前記第２のメッセージは、前記サービスに関連したメッセージを前記サービスの前記送信参加者から前記サービスの前記受信参加者へ送付することを表わす前記送付ルール、前記サービスに関連した前記サービングステーションによりサービスされる前記サービスエリアに関する前記情報、前記サービングステーションの前記ステーション識別子、前記サービスの前記参加者の前記参加者識別子、及び前記第２のメッセージが前記サービスに属することを表わす前記サービス識別子、のうちの前記少なくとも１つを含むものである、
ことを含む方法を遂行するインストラクションを記憶する非一時的コンピュータ読み取り可能な媒体。
【国際調査報告】
2019533341.tif 000023
2019533341.tif 000024
2019533341.tif 000025